(57)【特許請求の範囲】
【請求項１】
少なくとも１つの第２の信号を受信するか、又は第１の信号と少なくとも１つの第２の信号とを受信するように構成される受信モジュールであって、前記第１の信号は端末機器によりアンテナ端に送信され、前記少なくとも１つの第２の信号は、各アンテナ端により、前記第１の信号に遅延処理又は周波数変換処理を実行することによって生成される、受信モジュールと、
前記少なくとも１つの第２の信号に従って、又は前記第１の信号と前記少なくとも１つの第２の信号とに従って、計算により、前記端末機器の位置情報を取得するように構成される処理モジュールと、
を備える基地局であって、
前記基地局は、異なる遅延オフセット値に対応する各アンテナ端の位置情報、又は異なる周波数オフセット値に対応する各アンテナ端の位置情報を予め記憶し、
前記処理モジュールは、
前記少なくとも１つの第２の信号に従って、各第２の信号に対応する第１の遅延オフセット値、若しくは各第２の信号の前記第１の信号に対する第２の遅延オフセット値を取得し、又は、各第２の信号に対応する第１の周波数オフセット値、若しくは各第２の信号の前記第１の信号に対する第２の周波数オフセット値を取得するように構成され、
前記第２の信号に対応する前記遅延オフセット値又は前記周波数オフセット値に対応するアンテナ端の位置情報を取得するように構成され、
取得された前記遅延オフセット値又は取得された前記周波数オフセット値に対応する前記アンテナ端における、前記第２の信号の信号強度を取得するように構成され、
取得された前記位置情報と、前記第２の信号の取得された前記信号強度とに従って、典型チャネル伝送モデルを用いて、計算により、前記端末機器の位置情報を取得するように構成される、
基地局。
【請求項２】
前記受信モジュールが前記少なくとも１つの第２の信号のみを受信する場合、前記処理モジュールは、
前記少なくとも１つの第２の信号に従って、各第２の信号に対応する第１の遅延オフセット値を取得するように構成され、
各第１の遅延オフセット値に対応するアンテナ端の第１の位置情報を取得し、各第１の遅延オフセット値に対応する前記アンテナ端における第２の信号の第１の信号強度を取得し、少なくとも１つの前記第１の位置情報と少なくとも１つの前記第１の信号強度とに従って、典型チャネル伝送モデルを用いて、計算により、前記端末機器の前記位置情報を取得するように構成される、
請求項１に記載の基地局。
【請求項３】
前記受信モジュールが前記第１の信号と前記少なくとも１つの第２の信号とを受信する場合、前記処理モジュールは、
前記少なくとも１つの第２の信号に従って、各第２の信号の前記第１の信号に対する第２の遅延オフセット値をそれぞれ取得するように構成され、
各第２の遅延オフセット値に対応するアンテナ端の第２の位置情報を取得し、各第２の遅延オフセット値に対応する前記アンテナ端における第２の信号の第２の信号強度を取得し、少なくとも１つの前記第２の位置情報と少なくとも１つの前記第２の信号強度とに従って、典型チャネル伝送モデルを用いて、計算により、前記端末機器の前記位置情報を取得するように構成される、
請求項１に記載の基地局。
【請求項４】
前記受信モジュールが前記少なくとも１つの第２の信号のみを受信する場合、前記処理モジュールは、
前記少なくとも１つの第２の信号に従って、各第２の信号に対応する第１の周波数オフセット値をそれぞれ取得するように構成され、
各第１の周波数オフセット値に対応するアンテナ端の第３の位置情報を取得し、各第１の周波数オフセット値に対応する前記アンテナ端での第２の信号の第３の信号強度を取得し、少なくとも１つの前記第３の位置情報と少なくとも１つの前記第３の信号強度とに従って、典型チャネル伝送モデルを用いて、計算により、前記端末機器の前記位置情報を取得するように構成される、
請求項１に記載の基地局。
【請求項５】
前記受信モジュールが前記第１の信号と前記少なくとも１つの第２の信号とを受信する場合、前記処理モジュールは、
前記少なくとも１つの第２の信号に従って、各第２の信号の前記第１の信号に対する第２の周波数オフセット値をそれぞれ取得するように構成され、
各第２の周波数オフセット値に対応するアンテナ端の第４の位置情報を取得し、各第２の周波数オフセット値に対応する前記アンテナ端における第２の信号の第４の信号強度を取得し、少なくとも１つの前記第４の位置情報と少なくとも１つの前記第４の信号強度に従って、典型チャネル伝送モデルを用いて、計算により、前記端末機器の前記位置情報を取得するように構成される、
請求項１に記載の基地局。
【請求項６】
基地局によって実行される端末機器測位方法であって、
少なくとも１つの第２の信号を受信するか、又は第１の信号と少なくとも１つの第２の信号とを受信するステップであって、前記第１の信号は端末機器によりアンテナ端に送信され、前記少なくとも１つの第２の信号は、各アンテナ端により、前記第１の信号に遅延処理又は周波数変換処理を実行することによって生成される、ステップと、
前記少なくとも１つの第２の信号に従って、又は前記第１の信号と前記少なくとも１つの第２の信号とに従って、計算により、前記端末機器の位置情報を取得するステップであって、前記基地局は、異なる遅延オフセット値に対応する各アンテナ端の位置情報、又は異なる周波数オフセット値に対応する各アンテナ端の位置情報を予め記憶する、ステップと、
前記少なくとも１つの第２の信号に従って、各第２の信号に対応する第１の遅延オフセット値、若しくは各第２の信号の前記第１の信号に対する第２の遅延オフセット値を取得し、又は、各第２の信号に対応する第１の周波数オフセット値、若しくは各第２の信号の前記第１の信号に対する第２の周波数オフセット値を取得するステップと、
前記第２の信号に対応する前記遅延オフセット値又は前記周波数オフセット値に対応するアンテナ端の位置情報を取得するステップと、
取得された前記遅延オフセット値又は取得された前記周波数オフセット値に対応する前記アンテナ端における、前記第２の信号の信号強度を取得するステップと、
取得された前記位置情報と、前記第２の信号の取得された前記信号強度とに従って、典型チャネル伝送モデルを用いて、計算により、前記端末機器の位置情報を取得するステップと、
を含む方法。
【請求項７】
前記少なくとも１つの第２の信号のみが受信される場合、前記少なくとも１つの第２の信号に従って、又は前記第１の信号と前記少なくとも１つの第２の信号とに従って、計算により、前記端末機器の位置情報を取得する前記ステップは、
前記少なくとも１つの第２の信号に従って、各第２の信号に対応する第１の遅延オフセット値をそれぞれ取得するステップと、
各第１の遅延オフセット値に対応するアンテナ端の第１の位置情報を取得し、各第１の遅延オフセット値に対応する前記アンテナ端における第２の信号の第１の信号強度を取得し、少なくとも１つの前記第１の位置情報と少なくとも１つの前記第１の信号強度とに従って、典型チャネル伝送モデルを用いて、計算により、前記端末機器の前記位置情報を取得するステップと、
を含む、請求項６に記載の方法。
【請求項８】
前記第１の信号と前記少なくとも１つの第２の信号とが受信される場合、前記少なくとも１つの第２の信号に従って、又は前記第１の信号と前記少なくとも１つの第２の信号とに従って、計算により、前記端末機器の位置情報を取得する前記ステップは、
前記少なくとも１つの第２の信号に従って、各第２の信号の前記第１の信号に対する第２の遅延オフセット値をそれぞれ取得するステップと、
各第２の遅延オフセット値に対応するアンテナ端の第２の位置情報を取得し、各第２の遅延オフセット値に対応する前記アンテナ端における第２の信号の第２の信号強度を取得し、少なくとも１つの前記第２の位置情報と少なくとも１つの前記第２の信号強度とに従って、典型チャネル伝送モデルを用いて、計算により、前記端末機器の前記位置情報を取得するステップと、
を含む、請求項６に記載の方法。
【請求項９】
前記少なくとも１つの第２の信号のみが受信される場合、前記少なくとも１つの第２の信号に従って、又は前記第１の信号と前記少なくとも１つの第２の信号とに従って、計算により、前記端末機器の位置情報を取得する前記ステップは、
前記少なくとも１つの第２の信号に従って、各第２の信号に対応する第１の周波数オフセット値をそれぞれ取得するステップと、
各第１の周波数オフセット値に対応するアンテナ端の第３の位置情報を取得し、各第１の周波数オフセット値に対応する前記アンテナ端における第２の信号の第３の信号強度を取得し、少なくとも１つの前記第３の位置情報と少なくとも１つの前記第３の信号強度とに従って、典型チャネル伝送モデルを用いて、計算により、前記端末機器の前記位置情報を取得するステップと、
を含む、請求項６に記載の方法。
【請求項１０】
前記第１の信号と前記少なくとも１つの第２の信号とが受信される場合、前記少なくとも１つの第２の信号に従って、又は前記第１の信号と前記少なくとも１つの第２の信号とに従って、計算により、前記端末機器の位置情報を取得する前記ステップは、
前記少なくとも１つの第２の信号に従って、各第２の信号の前記第１の信号に対する第２の周波数オフセット値をそれぞれ取得するステップと、
各第２の周波数オフセット値に対応するアンテナ端の第４の位置情報を取得し、各第２の周波数オフセット値に対応する前記アンテナ端における第２の信号の第４の信号強度を取得し、少なくとも１つの前記第４の位置情報と少なくとも１つの前記第４の信号強度に従って、典型チャネル伝送モデルを用いて、計算により、前記端末機器の前記位置情報を取得するステップと、
を含む、請求項６に記載の方法。
【請求項１１】
請求項１乃至５のいずれか一項に記載の基地局と少なくとも１つのアンテナ端とを備える端末機器測位システム。
【発明の詳細な説明】
【技術分野】
【０００１】
本発明の実施形態は通信技術に関し、特に、端末機器測位の方法、システム及び装置に関する。
【背景技術】
【０００２】
現在この業界において、屋内ナビゲーションの研究方向は、一般に、モバイルネットワークに基づいたアシストグローバルポジショニングシステム（略称A-GPS）、シュードライト、無線ローカルエリアネットワーク（WLAN）、無線自動識別（RFID）、ZigBee、ブルートゥース（BT）、超広帯域（UWB）のラジオ、別の地磁気衛星や地上デジタル通信、ブロードキャスト信号、赤外線測位、光学トラッキング測位、コンピュータビジョン測位、超音波測位等を含む。上記の技術では、一部は主にナビゲーション測位に用いられ、一部は主に通信に用いられ、測位サービス、例えば無線ローカルエリアネットワークを提供することができる。
【０００３】
現在、中型又は大型の建物の屋内測位には、主に分散型アンテナシステム（DAS）が用いられている。図１は、既存のDASにおけるネットワークアーキテクチャの概略図である。図１に示されるように、既存のDASは、基地局と、カプラと、電力スプリッタと、アンテナとを含む。端末機器が信号を送受信するとき、端末機器のチャネル情報は各アンテナを用いて受信され、チャネル情報はフィーダを用いて基地局装置に返される。基地局は、取得された端末機器のチャネル情報と、各屋内場所の予め記憶されているチャネル情報とを比較し、端末機器のチャネル情報に最も近い位置を端末機器の位置として用いて、端末機器の測位を実現する。
【０００４】
しかしながら、実際の運用プロセスでは、基地局に予め記憶されている各位置のチャネル情報は比較的固定されている。周囲環境の変化（例えば、別の干渉信号がある）を原因として、端末機器が信号を受信又は送信するときにチャネル情報は絶えず変化する。したがって、端末機器の測位の精度が比較的低い。
【発明の概要】
【０００５】
本発明は、周囲環境の変化を原因として、端末機器が信号を受信又は送信するときにチャネル情報は絶えず変化し、したがって、端末機器の測位の精度が比較的低いという従来技術の課題を解決するために、端末機器測位の方法、システム及び装置を提供する。
【０００６】
第１の態様によれば、本発明は基地局を提供する。本基地局は、
少なくとも１つの第２の信号を受信するか、又は第１の信号と少なくとも１つの第２の信号とを受信するように構成される受信モジュールであって、第１の信号は端末機器によりアンテナ端に送信され、少なくとも１つの第２の信号は、少なくとも１つのアンテナ端の各アンテナ端が第１の信号に遅延処理又は周波数変換処理を実行した後に生成される、受信モジュールと、
少なくとも１つの第２の信号に従って、又は第１の信号と少なくとも１つの第２の信号とに従って、計算により、端末機器の位置情報を取得するように構成される処理モジュールと、
を備える。
【０００７】
第１の態様に関して、第１の態様の第１の可能な実施方式では、受信モジュールが少なくとも１つの第２の信号のみを受信する場合、処理モジュールは、具体的には、
少なくとも１つの第２の信号に従って、各第２の信号に対応する第１の遅延オフセット値をそれぞれ取得するように構成され、
少なくとも１つの第１の遅延オフセット値と少なくとも１つの第１の位置情報とに従って、典型チャネル伝送モデルを用いて、計算により、端末機器の位置情報を取得するように構成され、第１の位置情報は、第１の遅延オフセット値の１つに対応するアンテナ端の位置情報であり、又は、
各第１の遅延オフセット値に対応するアンテナ端の第１の位置情報を取得し、各第１の遅延オフセット値に対応するアンテナ端における第２の信号の第１の信号強度を取得し、少なくとも１つの第１の位置情報と少なくとも１つの第１の信号強度とに従って、典型チャネル伝送モデルを用いて、計算により、端末機器の位置情報を取得するように構成される。
【０００８】
第１の態様に関して、第１の態様の第２の可能な実施方式では、受信モジュールが第１の信号と少なくとも１つの第２の信号とを受信する場合、処理モジュールは、具体的には、
少なくとも１つの第２の信号に従って、各第２の信号の第１の信号に対する第２の遅延オフセット値をそれぞれ取得するように構成され、
少なくとも１つの第２の遅延オフセット値と少なくとも１つの第２の位置情報とに従って、典型チャネル伝送モデルを用いて、計算により、端末機器の位置情報を取得するように構成され、第２の位置情報は、第２の遅延オフセット値の１つに対応するアンテナ端の位置情報であり、又は、
各第２の遅延オフセット値に対応するアンテナ端の第２の位置情報を取得し、各第２の遅延オフセット値に対応するアンテナ端における第２の信号の第２の信号強度を取得し、少なくとも１つの第２の位置情報と少なくとも１つの第２の信号強度とに従って、典型チャネル伝送モデルを用いて、計算により、端末機器の位置情報を取得するように構成される。
【０００９】
第１の態様に関して、第１の態様の第３の可能な実施方式では、受信モジュールが少なくとも１つの第２の信号のみを受信する場合、処理モジュールは、具体的には、
少なくとも１つの第２の信号に従って、各第２の信号に対応する第１の周波数オフセット値をそれぞれ取得するように構成され、
少なくとも１つの第１の周波数オフセット値と少なくとも１つの第３の位置情報とに従って、典型チャネル伝送モデルを用いて、計算により、端末機器の位置情報を取得するように構成され、第３の位置情報は、第１の周波数オフセット値の１つに対応するアンテナ端の位置情報であり、又は、
各第１の周波数オフセット値に対応するアンテナ端の第３の位置情報を取得し、各第１の周波数オフセット値に対応するアンテナ端での第２の信号の第３の信号強度を取得し、少なくとも１つの第３の位置情報と少なくとも１つの第３の信号強度とに従って、典型チャネル伝送モデルを用いて、計算により、端末機器の位置情報を取得するように構成される。
【００１０】
第１の態様に関して、第１の態様の第４の可能な実施方式では、受信モジュールが第１の信号と少なくとも１つの第２の信号とを受信する場合、処理モジュールは、具体的には、
少なくとも１つの第２の信号に従って、各第２の信号の第１の信号に対する第２の周波数オフセット値をそれぞれ取得するように構成され、
少なくとも１つの第２の周波数オフセット値と少なくとも１つの第４の位置情報とに従って、典型チャネル伝送モデルを用いて、計算により、端末機器の位置情報を取得するように構成され、第４の位置情報は、第２の周波数オフセット値の１つに対応するアンテナ端の位置情報であり、又は、
各第２の周波数オフセット値に対応するアンテナ端の第４の位置情報を取得し、各第２の周波数オフセット値に対応するアンテナ端における第２の信号の第４の信号強度を取得し、少なくとも１つの第４の位置情報と少なくとも１つの第４の信号強度に従って、典型チャネル伝送モデルを用いて、計算により、端末機器の位置情報を取得するように構成される。
【００１１】
第２の態様によれば、本発明はアンテナ端を提供する。本アンテナ端は、
端末機器によって送信された第１の信号を受信するように構成される受信モジュールと、
第１の信号に遅延処理又は周波数変換処理を実行して、第２の信号を生成するように構成される処理モジュールと、
第２の信号を基地局に送信するように構成される送信モジュールであって、それにより基地局は、第２の信号に従って、計算により、端末機器の位置情報を取得できる、送信モジュールと、
を備える。
【００１２】
第２の態様に関して、第２の態様の第１の可能な実施方式では、第１の信号に遅延処理又は周波数変換処理を実行して第２の信号を生成する前に、処理モジュールは更に、
所定のゲインに従って、第１の信号に電力補償処理を実行して、補償処理後に得られる第１の信号を取得するように構成される。
【００１３】
第２の態様又は第２の態様の第１の可能な実施方式に関して、第２の態様の第２の可能な実施方式では、処理モジュールは、具体的には、
事前構成された遅延オフセット値に従って、第１の信号に遅延処理を実行して、第２の信号を生成するように構成されるか、又は、
第１の信号にフィルタリング処理を実行して、クラッタフィルタリング後に得られる第１の信号を取得するように構成され、
事前構成された周波数オフセット値に従って、クラッタフィルタリング後に得られた第１の信号に周波数変換処理を実行して、第２の信号を生成するように構成される。
【００１４】
第３の態様によれば、本発明は端末機器測位方法を提供する。本方法は、
少なくとも１つの第２の信号を受信するか、又は第１の信号と少なくとも１つの第２の信号とを受信するステップであって、第１の信号は端末機器によりアンテナ端に送信され、少なくとも１つの第２の信号は、少なくとも１つのアンテナ端の各アンテナ端が第１の信号に遅延処理又は周波数変換処理を実行した後に生成される、ステップと、
少なくとも１つの第２の信号に従って、又は第１の信号と少なくとも１つの第２の信号とに従って、計算により、端末機器の位置情報を取得するステップと、
を含む。
【００１５】
第３の態様に関して、第３の態様の第１の可能な実施方式では、少なくとも１つの第２の信号のみが受信される場合、少なくとも１つの第２の信号に従って、又は第１の信号と少なくとも１つの第２の信号とに従って、計算により、端末機器の位置情報を取得するステップは、
少なくとも１つの第２の信号に従って、各第２の信号に対応する第１の遅延オフセット値をそれぞれ取得するステップと、
少なくとも１つの第１の遅延オフセット値と少なくとも１つの第１の位置情報とに従って、典型チャネル伝送モデルを用いて、計算により、端末機器の位置情報を取得するステップであって、第１の位置情報は、第１の遅延オフセット値の１つに対応するアンテナ端の位置情報である、ステップ、又は、
各第１の遅延オフセット値に対応するアンテナ端の第１の位置情報を取得し、各第１の遅延オフセット値に対応するアンテナ端における第２の信号の第１の信号強度を取得し、少なくとも１つの第１の位置情報と少なくとも１つの第１の信号強度とに従って、典型チャネル伝送モデルを用いて、計算により、端末機器の位置情報を取得するステップと、
を含む。
【００１６】
第３の態様に関して、第３の態様の第２の可能な実施方式では、第１の信号と少なくとも１つの第２の信号とが受信される場合、少なくとも１つの第２の信号に従って、又は第１の信号と少なくとも１つの第２の信号とに従って、計算により、端末機器の位置情報を取得するステップは、
少なくとも１つの第２の信号に従って、各第２の信号の第１の信号に対する第２の遅延オフセット値をそれぞれ取得するステップと、
少なくとも１つの第２の遅延オフセット値と少なくとも１つの第２の位置情報とに従って、典型チャネル伝送モデルを用いて、計算により、端末機器の位置情報を取得するステップであって、第２の位置情報は、第２の遅延オフセット値の１つに対応するアンテナ端の位置情報である、ステップ、又は、
各第２の遅延オフセット値に対応するアンテナ端の第２の位置情報を取得し、各第２の遅延オフセット値に対応するアンテナ端における第２の信号の第２の信号強度を取得し、少なくとも１つの第２の位置情報と少なくとも１つの第２の信号強度とに従って、典型チャネル伝送モデルを用いて、計算により、端末機器の位置情報を取得するステップと、
を含む。
【００１７】
第３の態様に関して、第３の態様の第３の可能な実施方式では、少なくとも１つの第２の信号のみが受信される場合、少なくとも１つの第２の信号に従って、又は第１の信号と少なくとも１つの第２の信号とに従って、計算により、端末機器の位置情報を取得するステップは、
少なくとも１つの第２の信号に従って、各第２の信号に対応する第１の周波数オフセット値をそれぞれ取得するステップと、
少なくとも１つの第１の周波数オフセット値と少なくとも１つの第３の位置情報とに従って、典型チャネル伝送モデルを用いて、計算により、端末機器の位置情報を取得するステップであって、第３の位置情報は、第１の周波数オフセット値の１つに対応するアンテナ端の位置情報である、ステップ、又は、
各第１の周波数オフセット値に対応するアンテナ端の第３の位置情報を取得し、各第１の周波数オフセット値に対応するアンテナ端における第２の信号の第３の信号強度を取得し、少なくとも１つの第３の位置情報と少なくとも１つの第３の信号強度とに従って、典型チャネル伝送モデルを用いて、計算により、端末機器の位置情報を取得するステップと、
を含む。
【００１８】
第３の態様に関して、第３の態様の第４の可能な実施方式では、第１の信号と少なくとも１つの第２の信号とが受信される場合、少なくとも１つの第２の信号に従って、又は第１の信号と少なくとも１つの第２の信号とに従って、計算により、端末機器の位置情報を取得するステップは、
少なくとも１つの第２の信号に従って、各第２の信号の第１の信号に対する第２の周波数オフセット値をそれぞれ取得するステップと、
少なくとも１つの第２の周波数オフセット値と少なくとも１つの第４の位置情報とに従って、典型チャネル伝送モデルを用いて、計算により、端末機器の位置情報を取得するステップであって、第４の位置情報は、第２の周波数オフセット値の１つに対応するアンテナ端の位置情報である、ステップ、又は、
各第２の周波数オフセット値に対応するアンテナ端の第４の位置情報を取得し、各第２の周波数オフセット値に対応するアンテナ端における第２の信号の第４の信号強度を取得し、少なくとも１つの第４の位置情報と少なくとも１つの第４の信号強度に従って、典型チャネル伝送モデルを用いて、計算により、端末機器の位置情報を取得するステップと、
を含む。
【００１９】
第４の態様によれば、本発明は端末機器測位方法を提供する。本方法は、
端末機器によって送信された第１の信号を受信するステップと、
第１の信号に遅延処理又は周波数変換処理を実行して、第２の信号を生成するステップと、
第２の信号を基地局に送信するステップであって、それにより基地局は、第２の信号に従って、計算により、端末機器の位置情報を取得できる、ステップと、
を含む。
【００２０】
第４の態様に関して、第４の態様の第１の可能な実施方式では、第１の信号に遅延処理又は周波数変換処理を実行して第２の信号を生成するステップの前に、本方法は更に、
所定のゲインに従って、第１の信号に電力補償処理を実行して、補償処理後に得られる第１の信号を取得するステップ、
を含む。
【００２１】
第４の態様又は第４の態様の第１の可能な実施方式に関して、第４の態様の第２の可能な実施方式では、第１の信号に遅延処理又は周波数変換処理を実行して第２の信号を生成するステップは、
事前構成された遅延オフセット値に従って、第１の信号に遅延処理を実行して、第２の信号を生成するステップ、又は、
第１の信号にフィルタリング処理を実行して、クラッタフィルタリング後に得られる第１の信号を取得するステップと、
事前構成された周波数オフセット値に従って、クラッタフィルタリング後に得られた第１の信号に周波数変換処理を実行して、第２の信号を生成するステップと、
を含む。
【００２２】
第５の態様によれば、本発明は端末機器測位システムを提供する。本システムは、基地局と、少なくとも１つのアンテナ端とを備え、
各アンテナ端は、端末機器によって送信された第１の信号を受信し、第１の信号に遅延処理又は周波数変換処理を実行して、第２の信号を生成し、第２の信号を基地局に送信するように構成され、
基地局は、少なくとも１つの第２の信号を受信するか、又は第１の信号と少なくとも１つの第２の信号とを受信し、少なくとも１つの第２の信号に従って、又は第１の信号と少なくとも１つの第２の信号とに従って、計算により、端末機器の位置情報を取得するように構成される。第１の信号は、端末機器によりアンテナ端に送信され、少なくとも１つの第２の信号は、少なくとも１つのアンテナ端の各アンテナ端が第１の信号に遅延処理又は周波数変換処理を実行した後に生成される。
【００２３】
第５の態様に関して、第５の態様の第１の可能な実施方式では、各アンテナ端はアンテナ及び遅延器を有する。遅延器は、事前構成された遅延オフセット値に従って、第１の信号に遅延処理を実行して、第２の信号を生成するように構成される。
【００２４】
第５の態様の第１の可能な実施方式に関して、第５の態様の第２の可能な実施方式では、各アンテナ端は更に、電力増幅器を有する。電力増幅器は、遅延器が事前構成された遅延オフセット値に従って第１の信号に遅延処理を実行して第２の信号を生成する前に、所定のゲインに従って、第１の信号に電力補償処理を実行して、補償処理後に得られる第１の信号を取得するように構成される。
【００２５】
第５の態様と、第５の態様の第１の可能な実施方式と、第５の態様の第２の可能な実施方式とのうちいずれか１つに関して、第５の態様の第３の可能な実施方式では、基地局は、具体的には、
少なくとも１つの第２の信号に従って、各第２の信号に対応する第１の遅延オフセット値をそれぞれ取得するように構成され、
少なくとも１つの第１の遅延オフセット値と少なくとも１つの第１の位置情報とに従って、典型チャネル伝送モデルを用いて、計算により、端末機器の位置情報を取得するように構成され、第１の位置情報は、第１の遅延オフセット値の１つに対応するアンテナ端の位置情報であり、又は、
各第１の遅延オフセット値に対応するアンテナ端の第１の位置情報を取得し、各第１の遅延オフセット値に対応するアンテナ端における第２の信号の第１の信号強度を取得し、少なくとも１つの第１の位置情報と少なくとも１つの第１の信号強度とに従って、典型チャネル伝送モデルを用いて、計算により、端末機器の位置情報を取得するように構成される。
【００２６】
第５の態様に関して、第５の態様の第４の可能な実施方式では、各アンテナ端は、アンテナ、フィルタ及び周波数変換器を有する。フィルタは、第１の信号にフィルタリング処理を実行して、クラッタフィルタリング後に得られる第１の信号を取得するように構成される。周波数変換器は、事前構成された周波数オフセット値に従って、クラッタフィルタリング後に得られた第１の信号に周波数変換処理を実行して、第２の信号を生成するように構成される。
【００２７】
第５の態様の第４の可能な実施方式に関して、第５の態様の第５の可能な実施方式では、各アンテナ端は更に、電力増幅器を有する。電力増幅器は、フィルタリング器が事前構成された周波数オフセット値に従って、クラッタフィルタリング後に得られる第１の信号に周波数変換処理を実行して、第２の信号を生成する前に、所定のゲインに従って、第１の信号に電力補償処理を実行して、補償処理後に得られる第１の信号を取得するように構成される。
【００２８】
第５の態様と、第５の態様の第４の可能な実施方式と、第５の態様の第５の可能な実施方式とのうちいずれか１つに関して、第５の態様の第６の可能な実施方式では、基地局は、具体的には、
少なくとも１つの第２の信号に従って、各第２の信号に対応する第１の周波数オフセット値をそれぞれ取得するように構成され、
少なくとも１つの第１の周波数オフセット値と少なくとも１つの第３の位置情報とに従って、典型チャネル伝送モデルを用いて、計算により、端末機器の位置情報を取得するように構成され、第３の位置情報は、第１の周波数オフセット値の１つに対応するアンテナ端の位置情報であり、又は、
各第１の周波数オフセット値に対応するアンテナ端の第３の位置情報を取得し、各第１の周波数オフセット値に対応するアンテナ端での第２の信号の第３の信号強度を取得し、少なくとも１つの第３の位置情報と少なくとも１つの第３の信号強度とに従って、典型チャネル伝送モデルを用いて、計算により、端末機器の位置情報を取得するように構成される。
【００２９】
第５の態様、第５の態様の第１、第２、第４、第５の可能な実施方式のうちいずれか１つに関して、第５の態様の第７の可能な実施方式では、本システムは更に、アンテナを備える。アンテナは、ユーザ端末によって送信された第１の信号を受信し、各アンテナ端が第２の信号を基地局に送信するとき、第１の信号を基地局に送信するように構成される。
【００３０】
第５の態様の第７の可能な実施方式に関して、第５の態様の第８の可能な実施方式では、基地局は更に、
少なくとも１つの第２の信号に従って、各第２の信号の第１の信号に対する第２の遅延オフセット値をそれぞれ取得するように構成され、
少なくとも１つの第２の遅延オフセット値と少なくとも１つの第２の位置情報とに従って、典型チャネル伝送モデルを用いて、計算により、端末機器の位置情報を取得するように構成され、第２の位置情報は、第２の遅延オフセット値の１つに対応するアンテナ端の位置情報であり、又は、
各第２の遅延オフセット値に対応するアンテナ端の第２の位置情報を取得し、各第２の遅延オフセット値に対応するアンテナ端における第２の信号の第２の信号強度を取得し、少なくとも１つの第２の位置情報と少なくとも１つの第２の信号強度とに従って、典型チャネル伝送モデルを用いて、計算により、端末機器の位置情報を取得するように構成される。
【００３１】
第５の態様の第７の可能な実施方式に関して、第５の態様の第９の可能な実施方式では、基地局は更に、
少なくとも１つの第２の信号に従って、各第２の信号の第１の信号に対する第２の周波数オフセット値をそれぞれ取得するように構成され、
少なくとも１つの第２の周波数オフセット値と少なくとも１つの第４の位置情報とに従って、典型チャネル伝送モデルを用いて、計算により、端末機器の位置情報を取得するように構成され、第４の位置情報は、第２の周波数オフセット値の１つに対応するアンテナ端の位置情報であり、又は、
各第２の周波数オフセット値に対応するアンテナ端の第４の位置情報を取得し、各第２の周波数オフセット値に対応するアンテナ端における第２の信号の第４の信号強度を取得し、少なくとも１つの第４の位置情報と少なくとも１つの第４の信号強度に従って、典型チャネル伝送モデルを用いて、計算により、端末機器の位置情報を取得するように構成される。
【００３２】
第５の態様と、第５の態様の第１〜第９の可能な実施方式とのいずれか１つに関して、第５の態様の第１０の可能な実施方式では、本システムは更に、少なくとも１つの測位装置を備える。測位装置は、更に、少なくとも１つの第２の信号に遅延処理又は周波数変換処理を実行するように構成される。
【００３３】
本発明で提供される端末機器測位の方法、システム及び装置によれば、端末機器によって送信された第１の信号に対して、遅延処理又は周波数変換処理が実行される。基地局は、処理された少なくとも１つの第２の信号に従って、且つ信号の変化に従って、計算により、端末機器の具体的な位置情報を取得する。端末機器の具体的な位置情報は、遅延処理又は周波数変換処理の後に得られた複数の第２の信号を用いて得られ、不安定なチャネル情報と比較して、外部環境の影響を受けない。したがって、端末機器の測位精度が効果的に改善される。
【図面の簡単な説明】
【００３４】
本発明の実施形態又は従来技術における技術的解決策をより明確に説明するために、以下、実施形態又は従来技術を説明するために必要な図面を簡潔に説明する。明らかながら、添付図面は以下の説明において、本発明の一部の実施形態を示すものに過ぎない。当業者であれば、これらの添付図面から創意工夫なく他の図面を更に導出できるであろう。
【００３５】
【図１】本発明に係る基地局の第１の実施形態の概略構造図である。
【図２】本発明に係るアンテナ端の第１の実施形態の概略構造図である。
【図３】本発明に係る端末機器測位方法の第１の実施形態のフローチャートである。
【図４】本発明に係る端末機器測位方法の第２の実施形態のフローチャートである。
【図５】本発明に係る端末機器測位方法の第３の実施形態のフローチャートである。
【図６】本発明に係る端末機器測位方法の第４の実施形態のフローチャートである。
【図７】本発明に係る端末機器測位方法の第５の実施形態のフローチャートである。
【図８】本発明に係る端末機器測位方法の第６の実施形態のフローチャートである。
【図９】本発明に係る端末機器測位方法の例のフローチャートである。
【図１０】本発明に係る端末機器測位方法の一例における電力遅延スペクトラムの概略図である。
【図１１ａ】本発明に係る端末機器測位システムの第１の実施形態の概略構造図である。
【図１１ｂ】本発明に係る端末機器測位システムの第１の実施形態の設置例の概略図である。
【図１２ａ】本発明に係る端末機器測位システムの実施形態におけるアンテナ端の概略構造図である。
【図１２ｂ】本発明に係る端末機器測位システムの実施形態における別のアンテナ端の概略構造図である。
【図１２ｃ】本発明に係る端末機器測位システムの実施形態における、更に別のアンテナ端の概略構造図である。
【図１２ｄ】本発明に係る端末機器測位システムの実施形態における、更に別のアンテナ端の概略構造図である。
【図１３】本発明に係る端末機器測位システムの第２の実施形態の概略構造図である。
【図１４】本発明に係る端末機器測位システムの第３の実施形態の概略構造図である。
【図１５】本発明に係る基地局の第２の実施形態の概略構造図である。
【図１６】本発明に係るアンテナ端の第２の実施形態の概略構造図である。
【発明を実施するための形態】
【００３６】
本発明の実施形態の目的、技術的解決策及び利点をより明確にするために、以下、本発明の実施形態において添付図面を参照しながら、本発明の実施形態における技術的解決策を明確且つ完全に説明する。明らかながら、説明される実施形態は本発明の実施形態の一部に過ぎず、全部ではない。当業者が本発明の実施形態に基づいて創意工夫なく得た他の実施形態は、全て本発明の保護範囲に包含されるものとする。
【００３７】
本発明の実施形態に記載の端末機器は、携帯電話、モバイルコンピュータ、タブレットその他のインテリジェント端末等、アップリンク及びダウンリンク通信を行うことのできるモバイルデバイスを含む。
【００３８】
図１は、本発明に係る基地局の第１の実施形態の概略構造図である。図１に示されるように、基地局１０は、少なくとも１つの第２の信号を受信するか、又は第１の信号と少なくとも１つの第２の信号とを受信するように構成される受信モジュール１１であって、第１の信号は端末機器によりアンテナ端に送信され、少なくとも１つの第２の信号は、少なくとも１つのアンテナ端の各アンテナ端が第１の信号に遅延処理又は周波数変換処理を実行した後に生成される、受信モジュール１１と、少なくとも１つの第２の信号に従って、又は第１の信号と少なくとも１つの第２の信号とに従って、計算により、端末機器の位置情報を取得するように構成される処理モジュール１２と、を備える。
【００３９】
本実施形態では、アンテナ端は遅延機能又は周波数変換処理機能を有し、端末機器の第１の信号に対して、遅延処理又は周波数変換処理を実行することができる。第１の信号は、端末機器によって送信されるアップリンク信号であってもよいし、アップリンク信号の結合信号であってもよい。具体的な実施では、端末機器を測位するために、端末機器の１つの信号のみを処理する必要がある。アンテナ端は、端末機器の第１の信号に対してリアルタイム処理を実行し、第２の信号を送信する。それにより基地局は更に、端末機器の位置情報をリアルタイムで決定することができる。各第２の信号は、１つのアンテナ端が第１の信号に対して遅延処理又は周波数変換処理を実行した後に生成される。したがって、第２の信号の数はアンテナ端の数と同じであり、第２の信号はアンテナ端と一対一の関係にある。
【００４０】
本実施形態で提供される基地局は、少なくとも１つのアンテナ端が端末機器によって送信された第１の信号に遅延処理又は周波数変換処理を実行した後に生成された少なくとも１つの第２の信号を受信する。基地局は、処理後に得られた少なくとも１つの第２の信号に従って、且つ信号の変化に従って、計算により、端末機器の具体的な位置情報を取得する。端末機器の具体的な位置情報は、遅延処理又は周波数変換処理の後に得られる複数の第２の信号を用いて取得される。これは、不安定なチャネル情報と比較して、外部環境の影響を受けない。よって、端末機器の測位精度が効果的に改善される。
【００４１】
本発明の基地局の第２の実施形態では、上述の実施形態に基づくと、複数のアンテナ端がそれぞれ第１の信号に遅延処理を実行するとき、受信モジュール１１が少なくとも１つの第２の信号のみを受信する場合、処理モジュール１２は、具体的には、
少なくとも１つの第２の信号に従って、各第２の信号に対応する第１の遅延オフセット値をそれぞれ取得するように構成され、
少なくとも１つの第１の遅延オフセット値と少なくとも１つの第１の位置情報とに従って、典型チャネル伝送モデルを用いて、計算により、端末機器の位置情報を取得するように構成され、第１の位置情報は、第１の遅延オフセット値の１つに対応するアンテナ端の位置情報であり、又は、
各第１の遅延オフセット値に対応するアンテナ端の第１の位置情報を取得し、各第１の遅延オフセット値に対応するアンテナ端における第２の信号の第１の信号強度を取得し、少なくとも１つの第１の位置情報と少なくとも１つの第１の信号強度とに従って、典型チャネル伝送モデルを用いて、計算により、端末機器の位置情報を取得するように構成される。
【００４２】
本実施形態では、遅延処理機能をもつモジュールが各アンテナ端に組み込まれ、各アンテナ端は、固有の遅延オフセット値のみに従って、第１の信号を処理することができる。したがって、処理モジュール１２によって得られる少なくとも１つの第１の遅延オフセット値の数は、少なくとも１つの第２の信号を送信するアンテナ端の数と同じである。すなわち、アンテナ端と第２の信号と第１の遅延オフセット値とは、互いに一対一で対応する。
【００４３】
基地局の設置構成時、基地局は、測位機能を有し且つ異なる遅延オフセット値に対応するアンテナ端に統合されたモジュールの位置情報を予め記憶する。すなわち、各アンテナ端の位置情報は固定である。各第２の信号のエネルギー値が検出によって取得され、それにより、第２の信号の信号強度を検出することができる。各第２の信号は１つの第１の信号強度に対応し、第２の信号と第１の信号強度と第１の位置情報も互いに一対一で対応する。
【００４４】
更に、端末機器の位置情報は、各第２の信号に対応するアンテナ端の第１の位置情報及び第１の遅延オフセット値に従って、典型チャネル伝送モデルを用いて、計算によって取得されてよい。
【００４５】
代替として、端末機器の位置情報は、各第２の信号に対応するアンテナ端の第２の信号の第１の信号強度と第１の位置情報とに従って、典型チャネル伝送モデルを用いて、計算によって取得されてよい。
【００４６】
詳細は適用状況に応じて決定される。これは本実施形態では限定されない。
【００４７】
少なくとも１つの第１の遅延オフセット値を取得する方式は、主に以下のとおりである。基地局がダウンリンク情報を端末機器に伝達した後、アップリンク情報を返す以前の経験的時間内にアップリンク信号が返されなかったとき、受信された第２の信号の第１の遅延オフセット値は計時によって取得される。
【００４８】
任意に、複数のアンテナ端がそれぞれ第１の信号に遅延処理を実行するとき、受信モジュール１１が第１の信号と少なくとも１つの第２の信号とを受信する場合、処理モジュール１２は、具体的には、
少なくとも１つの第２の信号に従って、各第２の信号の第１の信号に対する第２の遅延オフセット値をそれぞれ取得するように構成され、
少なくとも１つの第２の遅延オフセット値と少なくとも１つの第２の位置情報とに従って、典型チャネル伝送モデルを用いて、計算により、端末機器の位置情報を取得するように構成され、第２の位置情報は、第２の遅延オフセット値の１つに対応するアンテナ端の位置情報であり、又は、
各第２の遅延オフセット値に対応するアンテナ端の第２の位置情報を取得し、各第２の遅延オフセット値に対応するアンテナ端における第２の信号の第２の信号強度を取得し、少なくとも１つの第２の位置情報と少なくとも１つの第２の信号強度とに従って、典型チャネル伝送モデルを用いて、計算により、端末機器の位置情報を取得するように構成される。
【００４９】
本実施形態において、上述の実施方式と異なる特徴は、遅延機能をもつモジュールがアンテナに設けられないこと、すなわち、基地局が遅延処理の行われていない第１の信号を受信することである。したがって、第２の遅延オフセット値が取得されるとき、第１の信号の受信された時点を参照ベースとして用いて、基地局によって受信された第１の信号に対する各第２の信号の遅延オフセットを取得することができる。
【００５０】
少なくとも１つの第２の遅延オフセット値が取得された後、処理方式は上述の方式と同じである。すなわち、遅延オフセット値と位置情報との予め記憶された対応関係にクエリを行って少なくとも１つの第２の位置情報を取得して、更に端末機器の位置情報を決定する。
【００５１】
任意に、複数のアンテナ端がそれぞれ第１の信号に周波数変換処理を実行するとき、受信モジュール１１が少なくとも１つの第２の信号のみを受信する場合、処理モジュール１２は、具体的には、
少なくとも１つの第２の信号に従って、各第２の信号に対応する第１の周波数オフセット値をそれぞれ取得するように構成され、
少なくとも１つの第１の周波数オフセット値と少なくとも１つの第３の位置情報とに従って、典型チャネル伝送モデルを用いて、計算により、端末機器の位置情報を取得するように構成され、第３の位置情報は、第１の周波数オフセット値の１つに対応するアンテナ端の位置情報であり、又は、
各第１の周波数オフセット値に対応するアンテナ端の第３の位置情報を取得し、各第１の周波数オフセット値に対応するアンテナ端での第２の信号の第３の信号強度を取得し、少なくとも１つの第３の位置情報と少なくとも１つの第３の信号強度とに従って、典型チャネル伝送モデルを用いて、計算により、端末機器の位置情報を取得するように構成される。
【００５２】
本実施形態では、周波数変換処理機能をもつモジュールが各アンテナ端に組み込まれ、各アンテナ端は、固有の周波数オフセット値のみに従って第１の信号を処理することができる。したがって、処理モジュール１２によって取得される少なくとも１つの周波数オフセット値の数は、少なくとも１つの第２の信号を送信するアンテナ端の数と同じである。すなわち、アンテナ端と第２の信号と第１の周波数オフセット値とは、互いに一対一で対応する。
【００５３】
基地局の設置構成時、基地局は、測位機能を有し且つ異なる周波数オフセット値に対応するアンテナ端に組み込まれたモジュールの位置情報を予め記憶する。すなわち、各アンテナ端の位置情報は固定である。各第２の信号のエネルギー値が検出によって取得され、それにより、第２の信号の信号強度を検出することができる。各第２の信号は１つの第３の信号強度に対応し、第２の信号と第３の信号強度と第３の位置情報も、互いに一対一で対応する。
【００５４】
更に、端末機器の位置情報は、各第２の信号に対応するアンテナ端の第３の位置情報及び第１の周波数オフセット値に従って、典型チャネル伝送モデルを用いて、計算によって取得されてよい。
【００５５】
代替として、端末機器の位置情報は、各第２の信号に対応するアンテナ端の第２の信号の第３の信号強度と第３の位置情報とに従って、典型チャネル伝送モデルを用いて、計算によって取得されてよい。
【００５６】
詳細は適用状況に応じて決定される。これは本実施形態では限定されない。
【００５７】
任意に、複数のアンテナ端がそれぞれ第１の信号に周波数変換処理を実行するとき、受信モジュール１１が第１の信号と少なくとも１つの第２の信号とを受信する場合、処理モジュール１２は、具体的には、
少なくとも１つの第２の信号に従って、各第２の信号の第１の信号に対する第２の周波数オフセット値をそれぞれ取得するように構成され、
少なくとも１つの第２の周波数オフセット値と少なくとも１つの第４の位置情報とに従って、典型チャネル伝送モデルを用いて、計算により、端末機器の位置情報を取得するように構成され、第４の位置情報は、第２の周波数オフセット値の１つに対応するアンテナ端の位置情報であり、又は、
各第２の周波数オフセット値に対応するアンテナ端の第４の位置情報を取得し、各第２の周波数オフセット値に対応するアンテナ端における第２の信号の第４の信号強度を取得し、少なくとも１つの第４の位置情報と少なくとも１つの第４の信号強度に従って、典型チャネル伝送モデルを用いて、計算により、端末機器の位置情報を取得するように構成される。
【００５８】
本実施形態では、上述の実施方式と異なる特徴は、周波数変換機能をもつモジュールがアンテナに設けられないこと、すなわち、基地局が周波数変換処理の行われていない第１の信号を受信することである。したがって、第２の周波数オフセット値が取得されるとき、第１の信号の受信された周波数を参照ベースとして用いて、基地局によって受信された第１の信号に対する各第２の信号の周波数オフセットを取得することができる。
【００５９】
少なくとも１つの第２の周波数オフセット値が取得された後、処理方式は上述の方式と同じである。すなわち、周波数オフセット値と位置情報との予め記憶された対応関係にクエリを行って少なくとも１つの第４の位置情報を取得して、更に端末機器の位置情報を決定する。
【００６０】
本実施形態で提供される基地局によれば、受信モジュールは、少なくとも１つの第２の信号を受信する。処理モジュールは、各第２の信号の遅延オフセット値又は周波数オフセット値を取得してから、遅延オフセット値と位置情報との予め記憶された対応関係又は周波数オフセット値と位置情報との予め記憶された対応関係にクエリを行い、第２の信号と同じ数の位置情報を取得し、且つ／又は、各位置情報に対応する第２の信号の信号強度を取得し、典型チャネル伝送モデルを用いて端末機器の位置情報を取得する。代替として、受信モジュールは、少なくとも１つの第２の信号と第１の信号とを受信する。処理モジュールは、各第２の信号の第１の信号に対する遅延オフセット値又は周波数オフセット値を取得し、同じ方式で端末機器の位置情報を取得する。これは端末機器のいずれのアクションにも依存せず、マニュアル処理を必要とせず、外部環境の影響を受けない。したがって、端末機器の測位精度が効果的に改善され、コストが軽減される。
【００６１】
図２は、本発明に係るアンテナ端の第１の実施形態の概略構造図である。図２に示されるように、アンテナ端２０は、受信モジュール２１、処理モジュール２２及び送信モジュール２３を備える。受信モジュール２１は、端末機器によって送信された第１の信号を受信するように構成される。処理モジュール２２は、第１の信号に遅延処理又は周波数変換処理を実行して、第２の信号を生成するように構成される。送信モジュール２３は、第２の信号を基地局に送信するように構成される、それにより基地局は、第２の信号に従って、計算により、端末機器の位置情報を取得できる。
【００６２】
本実施形態では、第１の信号は、端末機器によって送信されるアップリンク信号を含み、アップリンク信号の結合信号も含む。受信モジュール２１は、端末機器の第１の信号を受信する。処理モジュール２２は、第１の信号に遅延処理又は周波数変換処理を実行して、第２の信号を生成する。特に、遅延処理の時間は、固定の予め設定された遅延値であり、１つのアンテナ端２０は、第１の信号に遅延処理を実行した後、１つの第２の信号のみを生成することができる。同様に、アンテナ端２０が第１の信号に周波数変換処理を行う場合、周波数変換処理の周波数オフセットは、デバイスの固定の予め設定された周波数オフセット値である。１つのアンテナ端２０は、第１の信号に周波数変換処理を実行した後、１つの第２の信号のみを生成することができる。
【００６３】
本実施形態で提供されるアンテナ端は、端末機器の第１の信号を受信し、第１の信号に遅延処理又は周波数変換処理を実行し、生成された第２の信号を基地局に送信する。それにより基地局は、少なくとも１つのアンテナ端によって送信された少なくとも１つの第２の信号に従って、且つ信号の変化に従って、計算により、端末機器の具体的な位置情報を取得することができる。端末機器の具体的な位置情報は、遅延処理又は周波数変換処理の後に得られる複数の第２の信号を用いて取得される。これは、不安定なチャネル情報と比較して、外部環境の影響を受けない、よって、端末機器の測位精度が効果的に改善される。
【００６４】
本発明のアンテナ端の第２の実施形態では、上述の実施形態に基づくと、処理モジュール２２が第１の信号に遅延処理又は周波数変換処理を実行して第２の信号を生成する前に、処理モジュール２２は更に、
所定のゲインに従って、第１の信号に電力補償処理を実行して、補償処理後に得られる第１の信号を取得するように構成される。
【００６５】
本実施形態では、信号には伝送プロセスにおいて特定の損失がある。したがって、必要な信号強度を維持するために、処理前の第１の信号に電力増幅を行って、遅延処理又は周波数変換処理における損失を補償してよく、それにより所望の信号強度が得られる。
【００６６】
更に、処理モジュール２２は、具体的には、
事前構成された遅延オフセット値に従って、第１の信号に遅延処理を実行して、第２の信号を生成するように構成され、又は、
第１の信号にフィルタリング処理を実行して、クラッタフィルタリング後に得られる第１の信号を取得するように構成され、
事前構成された周波数オフセット値に従って、クラッタフィルタリング後に得られた第１の信号に周波数変換処理を実行して、第２の信号を生成するように構成される。
【００６７】
本実施形態では、第１の信号は、端末機器によって送信されたアップリンク信号を含んでよく、更に複数の結合信号を含んでよい。したがって、第１の信号の必要な周波数の信号成分を得るために、すなわち必要な第１の信号を選択するために、周波数変換処理を行う前に第１の信号をフィルタリングする必要がある。遅延オフセット値は第２の信号と一対一で対応する。又は、周波数オフセット値は第２の信号と一対一で対応する。
【００６８】
本実施形態で提供されるアンテナ端は、処理モジュールを用いて、第１の信号に遅延処理又は周波数変換処理を実行して第２の信号を取得し、第２の信号を基地局に送信する。したがって、基地局は、少なくとも１つのアンテナ端によって送信された少なくとも１つの第２の信号に従って処理を実行して、各第２の信号の遅延オフセット値又は周波数オフセット値を取得し、典型チャネル伝送モデルを用いて端末機器の位置情報を取得する。代替として、受信モジュールは、少なくとも１つの第２の信号と第１の信号とを受信する。基地局は、各第２の信号の第１の信号に対する遅延オフセット値又は周波数オフセット値を取得し、同じ方式で端末機器の位置情報を取得する。これは端末機器のいずれのアクションにも依存せず、マニュアル処理を必要とせず、外部環境の影響を受けない。したがって、端末機器の測位精度が効果的に改善され、コストが軽減される。
【００６９】
図３は、本発明に係る端末機器測位方法の第１の実施形態のフローチャートである。図３に示されるように、本実施形態は基地局によって実行される。本方法は、具体的には、以下のステップを含む。
【００７０】
S101．少なくとも１つの第２の信号を受信するか、又は第１の信号と少なくとも１つの第２の信号とを受信する。第１の信号は端末機器によりアンテナ端に送信される。少なくとも１つの第２の信号は、少なくとも１つのアンテナ端の各アンテナ端が第１の信号に遅延処理又は周波数変換処理を実行した後に生成される。
【００７１】
本実施形態では、基地局によって受信される第２の信号は、アンテナ端が第１の信号に遅延処理又は周波数変換処理を実行した後に生成される。各アンテナ端は、処理により、１つの第２の信号のみを生成することができる。基地局が更に第１の信号を受信する場合、遅延処理又は周波数変換処理機能を有さないアンテナ端があることを示す。受信された第２の信号は基地局に直接送信され、それにより基地局は処理を実行することができる。
【００７２】
S102．少なくとも１つの第２の信号に従って、又は第１の信号と少なくとも１つの第２の信号とに従って、計算により、端末機器の位置情報を取得する。
【００７３】
本実施形態では、本発明は、基地局が信号を処理する方式を限定しない。よく用いられる処理方式は、典型チャネル伝送モデルを用いて、計算により、端末機器の位置を取得し、端末機器の測位を実施することである。
【００７４】
本実施形態で提供される端末機器測位方法によれば、基地局は、少なくとも１つのアンテナ端が端末機器によって送信された第１の信号に遅延処理又は周波数変換処理を実行した後に生成された少なくとも１つの第２の信号を受信し、処理された少なくとも１つの第２の信号に従って、且つ信号の変化に従って、計算により、端末機器の具体的な位置情報を取得する。端末機器の具体的な位置情報は、遅延処理又は周波数変換処理の後に得られる複数の第２の信号を用いて取得される。これは、不安定なチャネル情報と比較して、外部環境の影響を受けない、よって、端末機器の測位精度が効果的に改善される。
【００７５】
図４は、本発明に係る端末機器測位方法の第２の実施形態のフローチャートである。図４に示されるように、図３に示される上述の実施形態に基づくと、遅延処理機能をもつモジュールが基地局に対応するアンテナ端に組み込まれ、且つ基地局が少なくとも１つの第２の信号のみを受信する場合、ステップS102において、少なくとも１つの第２の信号に従って、又は第１の信号と少なくとも１つの第２の信号とに従って、計算により、端末機器の位置情報を取得するステップは、以下の具体的な実施ステップを含む。
【００７６】
S201．少なくとも１つの第２の信号に従って、各第２の信号に対応する第１の遅延オフセット値をそれぞれ取得する。
【００７７】
本実施形態では、少なくとも１つの第１の遅延オフセット値を取得する方式は、主に以下のとおりである基地局がダウンリンク情報を端末機器に伝達した後、アップリンク情報を返す以前の経験的時間内にアップリンク信号が返されなかったとき、受信された第２の信号の第１の遅延オフセット値は計時によって取得される。
【００７８】
S202．少なくとも１つの第１の遅延オフセット値と少なくとも１つの第１の位置情報とに従って、典型チャネル伝送モデルを用いて、計算により、端末機器の位置情報を取得する。第１の位置情報は、第１の遅延オフセット値の１つに対応するアンテナ端の位置情報である。
【００７９】
本実施形態では、取得される少なくとも１つの遅延オフセット値の数は、少なくとも１つの第２の信号を送信するアンテナ端の数と同じである。すなわち、アンテナ端と第２の信号と第１の遅延オフセット値とは、互いに一対一で対応する。基地局の設置構成時、基地局は、測位機能を有し且つ異なる遅延オフセット値に対応するアンテナ端に統合されたモジュールの位置情報を予め記憶する。すなわち、各アンテナ端の位置情報は固定である。
【００８０】
第２の信号に対応するアンテナ端の第１の位置情報が取得された後、端末装置の位置情報は、少なくとも１つの位置情報と、少なくとも１つの第１の遅延オフセット値とに直接的に従って、典型チャネル伝送モデルを直接用いて、計算によって取得することができ、正確な端末機器の測位を実現することができる。
【００８１】
S203．各第１の遅延オフセット値に対応するアンテナ端の第１の位置情報を取得し、各第１の遅延オフセット値に対応するアンテナ端における第２の信号の第１の信号強度を取得し、少なくとも１つの第１の位置情報と少なくとも１つの第１の信号強度とに従って、典型チャネル伝送モデルを用いて、計算により、端末機器の位置情報を取得する。
【００８２】
本実施形態では、各第２の信号のエネルギー値が検出によって取得され、それにより、第２の信号の信号強度を検出することができる。各第２の信号は１つの第１の信号強度に対応し、第２の信号と第１の信号強度と第１の位置情報も互いに一対一で対応する。
【００８３】
アンテナ端に対応する第２の信号の第１の信号強度が取得された後、端末機器の位置情報は、第２の信号に対応するアンテナ端の第１の位置情報を参照して、典型チャネル伝送モデルを用いて計算によって取得されて、正確な端末機器の測位が実現される。
【００８４】
上述のステップS202とS203は、第１の遅延オフセット値が得られた後の２つの並列の技術的解決策であり、実際の適用では実際の状況に応じて選択されてよい。これは本発明では限定されない。
【００８５】
本実施形態で提供される端末機器測位方法によれば、経験的時間に対する各第２の信号の遅延オフセット値が、受信された少なくとも１つの第２の信号を用いて取得されてから、遅延オフセット値と位置情報との予め記憶された対応関係にクエリが行われて、第２の信号と同じ数の位置情報が取得される。端末機器の位置情報は、第２の信号に対応するアンテナ端の位置情報と遅延オフセット値とを参照して、又は、第２の信号に対応するアンテナ端の位置情報と各位置情報に対応する第２の信号の信号強度とを参照して、典型チャネル伝送モデルを用いて取得される。これは端末機器のいずれのアクションにも依存せず、マニュアル処理を必要とせず、外部環境の影響を受けない。したがって、端末機器の測位精度が効果的に改善され、コストが軽減される。
【００８６】
図５は、本発明に係る端末機器測位方法の第３の実施形態のフローチャートである。図５に示されるように、図３に示される上述の実施形態に基づくと、遅延処理機能をもつモジュールが基地局に対応するアンテナ端に組み込まれる場合、遅延処理機能をもつモジュールの組み込まれていないアンテナ端があり、基地局は、第１の信号と少なくとも１つの第２の信号とを受信する。ステップS102において、少なくとも１つの第２の信号に従って、又は第１の信号と少なくとも１つの第２の信号とに従って、計算により、端末機器の位置情報を取得するステップは、以下の具体的な実施ステップを含む。
【００８７】
S301．少なくとも１つの第２の信号に従って、各第２の信号の第１の信号に対する第２の遅延オフセット値をそれぞれ取得する。
【００８８】
本実施形態では、図４の上述の実施方式と異なる特徴は、遅延機能をもつモジュールがアンテナに設けられないこと、すなわち、基地局が遅延処理の行われていない第１の信号を受信することである。したがって、第２の遅延オフセット値が取得されたとき、第１の信号の受信された時点を参照ベースとして用いて、基地局によって受信された第１の信号に対する各第２の信号の遅延オフセットを取得することができる。
【００８９】
S302．少なくとも１つの第２の遅延オフセット値と少なくとも１つの第２の位置情報とに従って、典型チャネル伝送モデルを用いて、計算により、端末機器の位置情報を取得する。第２の位置情報は、第２の遅延オフセット値の１つに対応するアンテナ端の位置情報である。
【００９０】
本実施形態では、第２の信号に対応するアンテナ端の第２の位置情報が取得された後、端末機器の位置情報は、少なくとも１つの位置情報に直接的に従って、且つ少なくとも１つの第２の遅延オフセット値を参照して、典型チャネル伝送モデルを直接用いて、計算によって取得されてよく、正確な端末機器の測位が実現される。
【００９１】
S303．各第２の遅延オフセット値に対応するアンテナ端の第２の位置情報を取得し、各第２の遅延オフセット値に対応するアンテナ端における第２の信号の第２の信号強度を取得し、少なくとも１つの第２の位置情報と少なくとも１つの第２の信号強度とに従って、典型チャネル伝送モデルを用いて、計算により、端末機器の位置情報を取得する。
【００９２】
本実施形態では、基地局の設置構成時、基地局は、測位機能を有し且つ異なる遅延オフセット値に対応するアンテナ端に統合されたモジュールの位置情報を予め記憶する。すなわち、各アンテナ端の位置情報は固定である。各第２の信号のエネルギー値が検出によって取得され、それにより、第２の信号の信号強度を検出することができる。各第２の信号は１つの第２の信号強度に対応し、第２の信号と第２の信号強度と第２の位置情報も互いに一対一で対応する。
【００９３】
アンテナ端に対応する第２の信号の第２の信号強度が取得された後、端末機器の位置情報は、第２の信号に対応するアンテナ端の第２の位置情報を参照して、典型チャネル伝送モデルを用いて計算によって取得されて、正確な端末機器の測位が実現される。
【００９４】
上述のステップS302とS303は、第２の遅延オフセット値が得られた後の２つの並列の技術的解決策であり、実際の適用では実際の状況に応じて選択されてよい。これは本発明では限定されない。
【００９５】
本実施形態で提供される端末機器測位方法によれば、受信された第１の信号と受信された少なくとも１つの第２の信号とを用いて、各第２の信号の第１の信号に対する遅延オフセット値が取得されてから、遅延オフセット値と位置情報との予め記憶された対応関係にクエリが行われて、第２の信号と同じ数の位置情報が取得される。端末機器の位置情報は、第２の信号に対応するアンテナ端の位置情報と遅延オフセット値とを参照して、又は、第２の信号に対応するアンテナ端の位置情報と各位置情報に対応する第２の信号の信号強度とを参照して、典型チャネル伝送モデルを用いて取得される。これは端末機器のいずれのアクションにも依存せず、マニュアル処理を必要とせず、外部環境の影響を受けない。したがって、端末機器の測位精度が効果的に改善され、コストが軽減される。
【００９６】
図６は、本発明に係る端末機器測位方法の第４の実施形態のフローチャートである。図６に示されるように、図３に示される上述の実施形態に基づくと、周波数変換処理機能をもつモジュールが基地局に対応するアンテナ端に組み込まれ、且つ基地局が少なくとも１つの第２の信号のみを受信する場合、ステップS102において、少なくとも１つの第２の信号に従って、又は第１の信号と少なくとも１つの第２の信号とに従って、計算により、端末機器の位置情報を取得するステップは、以下の具体的な実施ステップを含む。
【００９７】
S401．少なくとも１つの第２の信号に従って、各第２の信号に対応する第１の周波数オフセット値をそれぞれ取得する。
【００９８】
本実施形態では、周波数変換処理機能をもつモジュールが各アンテナ端に組み込まれ、各アンテナ端は、固有の周波数オフセット値のみに従って第１の信号を処理することができる。したがって、処理モジュール１２によって取得される少なくとも１つの周波数オフセット値の数は、少なくとも１つの第２の信号を送信するアンテナ端の数と同じである。すなわち、アンテナ端と第２の信号と第１の周波数オフセット値とは、互いに一対一で対応する。
【００９９】
S402．少なくとも１つの第１の周波数オフセット値と少なくとも１つの第３の位置情報とに従って、典型チャネル伝送モデルを用いて、計算により、端末機器の位置情報を取得する。第３の位置情報は、第１の周波数オフセット値の１つに対応するアンテナ端の位置情報である。
【０１００】
本実施形態では、第２の信号に対応するアンテナ端の第３の位置情報が取得された後、端末機器の位置情報は、少なくとも１つの位置情報に直接的に従って、且つ少なくとも１つの第１の周波数オフセット値を参照して、典型チャネル伝送モデルを直接用いて、計算によって取得されてよく、正確な端末機器の測位が実現される。
【０１０１】
S403．各第１の周波数オフセット値に対応するアンテナ端の第３の位置情報を取得し、各第１の周波数オフセット値に対応するアンテナ端での第２の信号の第３の信号強度を取得し、少なくとも１つの第３の位置情報と少なくとも１つの第３の信号強度とに従って、典型チャネル伝送モデルを用いて、計算により、端末機器の位置情報を取得する。
【０１０２】
本実施形態では、基地局の設置構成時、基地局は、測位機能を有し且つ異なる周波数オフセット値に対応するアンテナ端に組み込まれたモジュールの位置情報を予め記憶する。すなわち、各アンテナ端の位置情報は固定である。各第２の信号のエネルギー値が検出によって取得され、それにより、第２の信号の信号強度を検出することができる。各第２の信号は１つの第３の信号強度に対応し、第２の信号と第３の信号強度と第３の位置情報も、互いに一対一で対応する。
【０１０３】
アンテナ端に対応する第２の信号の第３の信号強度が取得された後、端末機器の位置情報は、第２の信号に対応するアンテナ端の第３の位置情報を参照して、典型チャネル伝送モデルを用いて計算によって取得され、正確な端末機器の測位が実現される。
【０１０４】
上述のステップS402とS403は、第１の周波数オフセット値が得られた後の２つの並列の技術的解決策であり、実際の適用では実際の状況に応じて選択されてよい。これは本発明では限定されない。
【０１０５】
本実施形態で提供される端末機器測位方法によれば、各第２の信号の周波数オフセット値を、受信された少なくとも１つの第２の信号を用いて取得し、次いで周波数オフセット値と位置情報との予め記憶された対応関係にクエリを行って、第２の信号と同じ数の位置情報を取得する。端末機器の位置情報は、少なくとも１つの周波数オフセット値と少なくとも１つのアンテナ端の対応する位置情報とに従って、又は、少なくとも１つのアンテナ端の位置情報と各位置情報に対応する第２の信号の取得された信号強度とに従って、典型チャネル伝送モデルを用いて取得される。これは端末機器のいずれのアクションにも依存せず、マニュアル処理を必要とせず、外部環境の影響を受けない。したがって、端末機器の測位精度が効果的に改善され、コストが軽減される。
【０１０６】
図７は、本発明に係る端末機器測位方法の第５の実施形態のフローチャートである。図７に示されるように、図３に示される上述の実施形態に基づくと、周波数変換処理機能をもつモジュールが基地局に対応するアンテナ端に組み込まれ、周波数変換機能をもつモジュールが組み込まれていないアンテナ端が存在し、基地局が第１の信号と少なくとも１つの第２の信号とを受信する場合、ステップS102において、少なくとも１つの第２の信号に従って、又は第１の信号と少なくとも１つの第２の信号とに従って、計算により、端末機器の位置情報を取得するステップは、以下の具体的な実施ステップを含む。
【０１０７】
S501．少なくとも１つの第２の信号に従って、各第２の信号の第１の信号に対する第２の周波数オフセット値をそれぞれ取得する。
【０１０８】
本実施形態において、図６に示される上述の解決策の実施方式と異なる特徴は、周波数変換機能をもつモジュールがアンテナに設けられないこと、すなわち、基地局が周波数変換処理の行われていない第１の信号を受信することである。したがって、第２の周波数オフセット値が取得されるとき、第１の信号の受信された周波数を参照ベースとして用いて、基地局によって受信された第１の信号に対する各第２の信号の周波数オフセットを取得することができる。
【０１０９】
S502．少なくとも１つの第２の周波数オフセット値と少なくとも１つの第４の位置情報とに従って、典型チャネル伝送モデルを用いて、計算により、端末機器の位置情報を取得する。第４の位置情報は、第２の周波数オフセット値の１つに対応するアンテナ端の位置情報である。
【０１１０】
本実施形態では、第２の信号に対応するアンテナ端の第４の位置情報が取得された後、端末機器の位置情報は、少なくとも１つの位置情報に直接的に従って、且つ少なくとも１つの第２の周波数オフセット値を参照して、典型チャネル伝送モデルを直接用いて、計算によって取得されてよく、正確な端末機器の測位が実現される。
【０１１１】
S503．各第２の周波数オフセット値に対応するアンテナ端の第４の位置情報を取得し、各第２の周波数オフセット値に対応するアンテナ端における第２の信号の第４の信号強度を取得し、少なくとも１つの第４の位置情報と少なくとも１つの第４の信号強度に従って、典型チャネル伝送モデルを用いて、計算により、端末機器の位置情報を取得する。
【０１１２】
本実施形態では、少なくとも１つの第２の周波数オフセット値が取得された後、処理方式は、図６に示される上述の実施形態の処理方式と同じである。すなわち、周波数オフセット値と位置情報との予め記憶された対応関係にクエリが行われて、少なくとも１つの第４の位置情報が取得されて、更に端末機器の位置情報が決定される。
【０１１３】
アンテナ端に対応する第２の信号の第４の信号強度が取得された後、端末機器の位置情報は、第２の信号に対応するアンテナ端の第４の位置情報を参照して、典型チャネル伝送モデルを用いて計算によって取得され、正確な端末機器の測位が実現される。
【０１１４】
上述のステップS502とS503は、第２の周波数オフセット値が得られた後の２つの並列の技術的解決策であり、実際の適用では実際の状況に応じて選択されてよい。これは本発明では限定されない。
【０１１５】
本実施形態で提供される端末機器測位方法によれば、受信された第１の信号と受信された少なくとも１つの第２の信号とを用いて、各第２の信号の第１の信号に対する周波数オフセット値を取得し、次いで周波数オフセット値と位置情報との予め記憶された対応関係にクエリを行って、第２の信号と同じ数の位置情報を取得する。端末機器の位置情報は、少なくとも１つの周波数オフセット値と少なくとも１つのアンテナ端の対応する位置情報とに従って、又は、少なくとも１つのアンテナ端の位置情報と各位置情報に対応する第２の信号の取得された信号強度とに従って、典型チャネル伝送モデルを用いて取得される。これは端末機器のいずれのアクションにも依存せず、マニュアル処理を必要とせず、外部環境の影響を受けない。したがって、端末機器の測位精度が効果的に改善され、コストが軽減される。
【０１１６】
図８は、本発明に係る端末機器測位方法の第６の実施形態のフローチャートである。図８に示されるように、本実施形態はアンテナ端によって実行される。本端末機器測位方法は、以下の具体的な実施ステップを含む。
【０１１７】
S601．端末機器によって送信された第１の信号を受信する。
【０１１８】
本実施形態では、第１の信号は、基地局の受信ダウンリンク信号に従って端末機器により基地局に送信されるフィードバック信号を含み、また、端末機器によって能動的に送信されるアップリンク信号を含み、更に、別の結合信号を含む。
【０１１９】
S602．第１の信号に遅延処理又は周波数変換処理を実行して、第２の信号を生成する。
【０１２０】
本実施形態では、第１の信号を処理して第２の信号を生成するために、遅延処理又は周波数変換処理を実行可能な機能モジュールが、アンテナ端に予め設定される。第２の信号はアンテナ端と一対一の関係にある。
【０１２１】
S603．第２の信号を基地局に送信する。それにより基地局は、第２の信号に従って、計算により、端末機器の位置情報を取得できる。
【０１２２】
本実施形態で提供される端末機器測位方法によれば、端末機器の第１の信号が受信され、第１の信号に遅延処理又は周波数変換処理が実行され、生成された第２の信号が基地局に送信される。それにより基地局は、少なくとも１つのアンテナ端によって送信された少なくとも１つの第２の信号に従って、且つ信号の変化に従って、計算により、端末機器の具体的な位置情報を取得する。端末機器の具体的な位置情報は、遅延処理又は周波数変換処理の後に得られる複数の第２の信号を用いて取得される。これは、不安定なチャネル情報と比較して、外部環境の影響を受けない。よって、端末機器の測位精度が効果的に改善される。
【０１２３】
上述の実施形態に基づくと、S602において、第１の信号に遅延処理又は周波数変換処理を実行して、第２の信号を生成するステップの前に、本方法は更に、
所定のゲインに従って、第１の信号に電力補償処理を実行して、補償処理後に得られる第１の信号を取得するステップ、
を含む。
【０１２４】
本実施形態では、信号の伝送と処理により特定の損失が発生する。したがって、第１の信号を処理する前に方法処理や補償処理が実行されてよい。増幅ゲインの選択は主に、遅延器の挿入損失と所望の信号強度の振幅に依存する。
【０１２５】
特に、所定のゲインに従って信号に対して電力補償処理が実行される。すなわち、遅延処理又は周波数変換処理の前か、遅延処理又は周波数変換処理の後のいずれかにおいて、第２の信号に更にそれぞれ補償処理が実行されてよく、或いは、処理前の第１の信号と処理後の第２の信号とに別々に補償処理が実行されてよい。これにより、信号は所望の強度を得ることができる。
【０１２６】
具体的には、図８に示される実施形態におけるステップS602において、第１の信号に遅延処理又は周波数変換処理を実行して第２の信号を生成するステップは、以下の少なくとも２つの具体的な実施方式を含む。
【０１２７】
第１の可能な実施方式では、事前構成された遅延オフセット値に従って、第１の信号に遅延処理が実行されて、第２の信号が生成される。
【０１２８】
本実施形態では、各アンテナ端の遅延オフセット値は固定であり、１つのアンテナ端は、第１の信号に遅延処理を実行した後に１つの第２の信号のみを生成することができる。
【０１２９】
第２の可能な実施方式では、第１の信号にフィルタリング処理が実行されて、クラッタフィルタリング後に得られる第１の信号が取得される。事前構成された周波数オフセット値に従って、クラッタフィルタリング後に得られた第１の信号に周波数変換処理が実行されて、第２の信号が生成される。
【０１３０】
本実施形態では、第１の信号は、複数の信号すなわちアップリンク信号及び結合信号を含んでよい。したがって、必要な周波数帯域の第１の信号を取得するために、周波数変換を実行する前にフィルタリング処理を実行する必要がある。第１の信号は、周波数変換処理後に基地局に送信され、基地局はより正確な計算を行うことができる。
【０１３１】
本実施形態で提供される端末機器測位方法によれば、第１の信号に遅延処理又は周波数変換処理が実行されて第２の信号が取得され、第２の信号は基地局に送信される。それにより基地局は、少なくとも１つのアンテナ端によって送信された少なくとも１つの第２の信号に従って処理を実行し、各第２の信号の遅延オフセット値又は周波数オフセット値を取得し、典型チャネル伝送モデルを用いて端末機器の位置情報を取得する。代替として、受信モジュールが少なくとも１つの第２の信号と第１の信号とを受信し、基地局が、各第２の信号の第１の信号に対する遅延オフセット値又は周波数オフセット値を取得し、同じ方式で端末機器の位置情報を取得する。これは端末機器のいずれのアクションにも依存せず、マニュアル処理を必要とせず、外部環境の影響を受けない。したがって、端末機器の測位精度が効果的に改善され、コストが軽減される。
【０１３２】
図３〜図８に示される上述の実施形態に基づき、以下、具体例を用いて、本発明における端末機器測位方法を詳述する。
【０１３３】
図９は、本発明に係る端末機器測位方法の例のフローチャートである。本実施形態では、以下のように仮定する。３つのアンテナ端が建物内に予め設置される。遅延処理を実行可能な機能モジュールが各アンテナ端に組み込まれて遅延処理を実現する。アンテナ端に事前構成される遅延オフセット値は、それぞれ１００ｎｓ、２００ｎｓ、３００ｎｓである。各アンテナ端の設置場所に関する位置情報が、基地局に予め記憶されている。建物内の端末機器を測位する方法は、以下の具体的な実施ステップを含む。
【０１３４】
S701．各アンテナ端が、端末機器によって送信された第１の信号を受信し、第１の信号に遅延処理を実行して、第２の信号を生成する。
【０１３５】
本実施形態では、各アンテナ端が１つの第２の信号を生成する。第２の信号が基地局に直接送信される時間と比較して、第２の信号は、それぞれ１００ｎｓ、２００ｎｓ、３００ｎｓの遅延の後に基地局に送信される。
【０１３６】
S702．各アンテナ端が、基地局に、遅延処理の後に得られた第２の信号をそれぞれ送信する。
【０１３７】
S703．基地局が、３つのアンテナ端によって送信された第２の信号を連続的に受信する。
【０１３８】
S704．基地局が、上述の３つの第２の信号の受信された時間と各第２の信号のエネルギーとに従って、検出により、電力遅延スペクトラムを取得する。
【０１３９】
本実施形態では、典型的な電力遅延スペクトラムについて、横軸は時間を表し、縦軸は受信信号のエネルギー（電力）を表す。図１０は、本発明に係る端末機器測位方法の一例における電力遅延スペクトラムの概略図である。図１０に示されるように、本実施形態で構成される電力遅延スペクトラムにおいて、第１のピークは、アップリンク信号に遅延処理を行わない場合の遅延スペクトラムを示す。一般に、基地局のダウンリンク信号を受信するとき、端末機器によって伝送されるアップリンク信号の遅延広がりは２２５ｎｓ未満である。アンテナ端によって送信される第２の信号では、通常の遅延に対して１００ｎｓ、２００ｎｓ、３００ｎｓの遅延が生成される。
【０１４０】
特に、測位機能をもつモジュールがケーブルを用いて接続される。したがって、異なる時間長の伝送遅延が生じる。処理が実行されるとき、補償が実行されてよい。
【０１４１】
S705．基地局が、上述の電力遅延スペクトラムに従って３つの遅延オフセット値を取得し、３つの遅延オフセット値に従って、遅延オフセット値とアンテナ端の位置情報との事前構成された対応関係にクエリを行い、第１の信号の通過したアンテナ端の位置情報を取得する。
【０１４２】
本実施形態では、３つの遅延オフセット値と、３つの遅延オフセット値に対応する３つのアンテナ端の位置情報とに直接的に従って、既存の計算モデルを直接的に用いて、端末装置上で測位が実行されてよい。
【０１４３】
S706．上述の電力遅延スペクトラムに従って、各遅延オフセット値の位置における第２の信号の信号強度を検出する。
【０１４４】
S707．取得された３つの遅延オフセット値及び／又は取得された３つの信号強度に従って、ケーブル伝送損失及び遅延損失を補償し、典型チャネル伝送モデルを用いて、計算により、上述の端末機器の位置情報を取得する。
【０１４５】
本実施形態では、基地局は、少なくとも１つのアンテナ端が第１の信号に遅延処理を実行する限り、端末機器に対して測位を実行することができる。しかしながら、より正確な測位を実現するために、一般に、３ヶ所以上のアンテナ端を用いて遅延処理を実行し、次いで多点測位を実行して、端末機器の位置を決定する。
【０１４６】
本実施形態で提供される端末機器測位方法によれば、遅延処理機能をもつ３つのアンテナ端が、端末機器のアップリンク信号に遅延処理を実行して３つの第２の信号を生成するように予め設定され、３つの第２の信号は異なる時間の遅延オフセット値を生成する。アンテナ端は、それぞれ第２の信号を基地局に送信するので、基地局は、各第２の信号のエネルギー及び遅延オフセット値を参照して電力遅延スペクトラムを構築して、３つの遅延オフセット値と位置情報の対応する信号強度とを取得することにより、端末機器の測位を実現することができる。全体のプロセスは、端末機器の個々のアクションに依存せず、手作業を必要とせず、周囲の環境の変化によって大きく影響されない。したがって、端末機器測位の精度と信頼性が効果的に改善され、コストが軽減される。
【０１４７】
図１１ａは、本発明に係る端末機器測位システムの第１の実施形態の概略構造図である。本システムは屋内測位問題を解決するために適用可能であり、建物内で用いられるDASシステムの改良されたシステムである。図１１ａに示されるように、端末機器測位システム３０は、基地局３１と、少なくとも１つのアンテナ端３２とを備える。各アンテナ端３２は、端末機器によって送信された第１の信号を受信し、第１の信号に遅延処理又は周波数変換処理を実行して、第２の信号を生成し、第２の信号を基地局に送信するように構成される。基地局３１は、少なくとも１つの第２の信号を受信するか、又は第１の信号と少なくとも１つの第２の信号とを受信し、少なくとも１つの第２の信号に従って、又は第１の信号と少なくとも１つの第２の信号とに従って、計算により、端末機器の位置情報を取得するように構成される。第１の信号は、端末機器によりアンテナ端に送信される。少なくとも１つの第２の信号は、少なくとも１つのアンテナ端の各アンテナ端が第１の信号に遅延処理又は周波数変換処理を実行した後に生成される。
【０１４８】
本実施形態において、具体的には、図１１ｂは、本発明に係る端末機器測位システムの第１の実施形態の設置例の概略図である。図１１ｂに示されるように、一般に、建物のフロアはカプラ３３を用いて互いに接続され、少なくとも１つのアンテナ端３２は、各階に構成された電力スプリッタ３４の後に設置される。図中の破線部分は、フロアが１つしかない場合の設置方法をフロア数が比較的多い場合の各フロアに適用できることを示す。１つのアンテナ端が各フロアに存在する限り、端末機器に対して測位を実行することができるが、一例では、通常、端末機器測位を実施するために３つ以上のアンテナ端が選択される。更に、本システムにおけるアンテナ端は、従来技術におけるアンテナとは異なる。従来のアンテナと比較して、アンテナ端には遅延処理又は周波数変換処理の機能が付加されるので、アンテナ端は、第１の信号に遅延処理又は周波数変換処理を実行することができる。したがって、基地局は、処理された信号に従って端末機器に対して正確な測位を実行する。
【０１４９】
特に、本発明のアンテナ端はケーブルを用いて接続されてよく、更に、無線結合方式で接続されてもよい。
【０１５０】
本実施形態の第１の信号は、端末機器によってアンテナ端に送信される。少なくとも１つのアンテナ端の各アンテナ端が第１の信号に遅延処理又は周波数変換処理を実行した後に、少なくとも１つの第２の信号が生成される。各第２の信号は１つのアンテナ端に対応する。
【０１５１】
本発明で提供される端末機器測位システムによれば、上記の方式で端末機器に対して複数回の測位が実行される。チャネルライブラリは、自動的に基地局に確立される。従来のチャネルライブラリの方式を参照して、端末機器に対して総合的な測位を更に実行して、相互修正を実行してもよい。これにより、測位の信頼性が改善される。
【０１５２】
本実施形態で提供される端末機器測位システムによれば、基地局は、少なくとも１つのアンテナ端が端末機器によって送信された第１の信号に遅延処理又は周波数変換処理を実行した後に生成された少なくとも１つの第２の信号を受信する。基地局は、処理された少なくとも１つの第２の信号に従って、且つ信号の変化に従って、計算により、端末機器の具体的な位置情報を取得する。端末機器の具体的な位置情報は、遅延処理又は周波数変換処理の後に得られる複数の第２の信号を用いて取得される。これは、不安定なチャネル情報と比較して、外部環境の影響を受けない、よって、端末機器の測位精度が効果的に改善される。
【０１５３】
図１２ａは、本発明に係る端末機器測位システムの実施形態における、アンテナ端の概略構造図である。図１２ａに示されるように、上述の実施形態に基づくと、各アンテナ端３２は、アンテナ３２１及び遅延器３２２を備える。遅延器３２２は、事前構成された遅延オフセット値に従って、第１の信号に遅延処理を実行して、第２の信号を生成するように構成される。
【０１５４】
本実施形態では、元のDASシステムにおいて、遅延器３２２がアンテナの後に配置されて、遅延機能をもつアンテナ端３２を形成する。遅延器３２２は、入力信号を十分に遅延させる。遅延器３２２は受動機器であってよく、すなわち、信号は受動的な方式で遅延される。或いは、信号は能動的な方式で遅延され、調整されてよい。
【０１５５】
遅延器３２２の設置方法は、結合ユニットを元のシステムに追加して遅延器３２２を接続し、アンテナを個別に接続することであってよく、或いは、元のシステムに結合ユニットを追加して遅延器３２２を接続して、結合ユニットを用いて元のシステムを接続することであってよく、或いは、図１２ａに示されるように、元のシステムに直接接続することであってよい。
【０１５６】
遅延器３２２の設置位置は、測位推定に従って決定される。一般に、各フロアは少なくとも３つの遅延器を有する。遅延器３２２の遅延時間は、屋内の伝送環境に応じて決定され、一般に２２５ｎｓを超える。同一フロア上の遅延器３２２は、少なくとも、異なる遅延時間を有することが要求される。遅延間隔は、信号帯域幅に応じて決定され、一般に３２ｎｓ以上である。基地局は、上述の遅延信号を含む全てのアップリンク信号を検出し、遅延信号の時間上の位置とエネルギーに従って、クエリにより遅延器３２２の設置位置を取得し、ＵＥの位置を計算する。
【０１５７】
図１２ｂは、本発明に係る端末機器測位システムの実施形態における別のアンテナ端の概略構造図である。各アンテナ端は更に、電力増幅器３２３を備える。電力増幅器３２３は、遅延器が事前構成された遅延オフセット値に従って第１の信号に遅延処理を実行して第２の信号を生成する前に、所定のゲインに従って、第１の信号に電力補償処理を実行して、補償処理後に得られる第１の信号を取得するように構成される。
【０１５８】
本実施形態では、図１２ａのアンテナ端の上述の構造に加えて、電力増幅器３２３が更に備えられる。第１の信号は、電力増幅器３２３を用いて増幅され、次いで遅延器３２２によって処理される。電力増幅器３２３は能動機器であり、直流電力により電力を供給する必要がある。電力増幅器３２３のゲインは、遅延器の挿入損失や所望の信号強度に依存し、実際の状況に応じて選択されてよい。
【０１５９】
本実施形態では、アンテナ端の構造が図１２ａ又は図１２ｂに示されるものである場合、基地局３１は、具体的には、少なくとも１つの第２の信号に従って、各第２の信号に対応する第１の遅延オフセット値をそれぞれ取得するように構成され、
少なくとも１つの第１の遅延オフセット値と少なくとも１つの第１の位置情報とに従って、典型チャネル伝送モデルを用いて、計算により、端末機器の位置情報を取得するように構成され、第１の位置情報は、第１の遅延オフセット値の１つに対応するアンテナ端の位置情報であり、
各第１の遅延オフセット値に対応するアンテナ端の第１の位置情報を取得し、各第１の遅延オフセット値に対応するアンテナ端における第２の信号の第１の信号強度を取得し、少なくとも１つの第１の位置情報と少なくとも１つの第１の信号強度とに従って、典型チャネル伝送モデルを用いて、計算により、端末機器の位置情報を取得するように構成される。
【０１６０】
図１２ｃは、本発明に係る端末機器測位システムの実施形態における、更に別のアンテナ端の概略構造図である。図１２ｃに示されるように、上述の実施形態に基づくと、各アンテナ端３２は、アンテナ３２１、フィルタ３２４及び周波数変換器３２５を備える。フィルタ３２４は、第１の信号にフィルタリング処理を実行して、クラッタフィルタリング後に得られる第１の信号を取得するように構成される。周波数変換器３２５は、事前構成された周波数オフセット値に従って、クラッタフィルタリング後に得られた第１の信号に周波数変換処理を実行して、第２の信号を生成するように構成される。
【０１６１】
本実施形態と図１２ａとの違いは、周波数変換解決策の利用である。すなわち、アンテナによって受信された第１の信号の周波数が選択され、次いで周波数変換器３２５は、適切な周波数の第１の信号に周波数変換処理を実行して、第２の信号を取得する。周波数変換器３２５は、デュプレクサやマルチプレクサ等のコンポーネントを用いて実現することができる。
【０１６２】
図１２ｄは、本発明に係る端末機器測位システムの実施形態における、更に別のアンテナ端の概略構造図である。図１２ｄに示されるように、上述の実施形態に基づくと、各アンテナ端３２は更に、電力増幅器３２３を備える。電力増幅器３２３は、フィルタリング器が事前構成された周波数オフセット値に従って、クラッタフィルタリング後に得られる第１の信号に周波数変換処理を実行して、第２の信号を生成する前に、所定のゲインに従って、第１の信号に電力補償処理を実行して、補償処理後に得られる第１の信号を取得するように構成される。
【０１６３】
図１２ｃのアンテナ端の上述の構造に加えて、電力増幅器３２３が更に備えられる。フィルタ３２４が第１の信号にフィルタリングを行って適切な周波数を選択した後、電力増幅器３２３は第１の信号を増幅し、次いで周波数変換器３２５が第１の信号を処理する。電力増幅器３２３は能動機器であり、直流電力により電力を供給する必要がある。電力増幅器３２３のゲインは、遅延器の挿入損失や所望の信号強度に依存し、実際の状況に応じて選択されてよい。
【０１６４】
本実施形態では、アンテナ端の構造が図１２ｃ又は図１２ｄに示されるものである場合、基地局３１は、具体的には、少なくとも１つの第２の信号に従って、各第２の信号に対応する第１の遅延オフセット値をそれぞれ取得するように構成され、
少なくとも１つの第１の周波数オフセット値と少なくとも１つの第３の位置情報とに従って、典型チャネル伝送モデルを用いて、計算により、端末機器の位置情報を取得するように構成され、第３の位置情報は、第１の周波数オフセット値の１つに対応するアンテナ端の位置情報であり、又は、
各第１の周波数オフセット値に対応するアンテナ端の第３の位置情報を取得し、各第１の周波数オフセット値に対応するアンテナ端での第２の信号の第３の信号強度を取得し、少なくとも１つの第３の位置情報と少なくとも１つの第３の信号強度とに従って、典型チャネル伝送モデルを用いて、計算により、端末機器の位置情報を取得するように構成される。
【０１６５】
図１３は、本発明に係る端末機器測位システムの第２の実施形態の概略構造図である。図１３に示されるように、端末機器測位システムの上述の実施形態のいずれか１つに基づいて、本システムは更に、アンテナを備える。アンテナは、ユーザ端末によって送信された第１の信号を受信し、第１の信号を基地局に送信するように構成される。
【０１６６】
本実施形態では、図１３に示されるように、別の適用シナリオが提供される。同一フロア上の電力スプリッタ３３の後に、アンテナ３５と少なくとも１つのアンテナ端３２が更に備えられてよい。第１の信号を受信した後、アンテナ３５は、第１の信号を基地局３１に直接送信するので、基地局３１は、アンテナ端３２によって送信された受信された第２の信号を処理するとき、第１の信号を基に遅延オフセット値と周波数オフセット値とを取得することができる。したがって、端末機器の位置についてより正確に測位を行うことができる。
【０１６７】
本実施形態では、アンテナ端３２が遅延器３２２を備える場合、基地局３１は更に、
少なくとも１つの第２の信号に従って、各第２の信号の第１の信号に対する第２の遅延オフセット値をそれぞれ取得するように構成され、
少なくとも１つの第２の遅延オフセット値と少なくとも１つの第２の位置情報とに従って、典型チャネル伝送モデルを用いて、計算により、端末機器の位置情報を取得するように構成され、第２の位置情報は、第２の遅延オフセット値の１つに対応するアンテナ端の位置情報であり、又は、
各第２の遅延オフセット値に対応するアンテナ端の第２の位置情報を取得し、各第２の遅延オフセット値に対応するアンテナ端における第２の信号の第２の信号強度を取得し、少なくとも１つの第２の位置情報と少なくとも１つの第２の信号強度とに従って、典型チャネル伝送モデルを用いて、計算により、端末機器の位置情報を取得するように構成される。
【０１６８】
任意に、アンテナ端３２が周波数変換器３２５を備える場合、基地局３１は更に、
少なくとも１つの第２の信号に従って、各第２の信号の第１の信号に対する第２の周波数オフセット値をそれぞれ取得するように構成され、
少なくとも１つの第２の周波数オフセット値と少なくとも１つの第４の位置情報とに従って、典型チャネル伝送モデルを用いて、計算により、端末機器の位置情報を取得するように構成され、第４の位置情報は、第２の周波数オフセット値の１つに対応するアンテナ端の位置情報であり、又は、
各第２の周波数オフセット値に対応するアンテナ端の第４の位置情報を取得し、各第２の周波数オフセット値に対応するアンテナ端における第２の信号の第４の信号強度を取得し、少なくとも１つの第４の位置情報と少なくとも１つの第４の信号強度に従って、典型チャネル伝送モデルを用いて、計算により、端末機器の位置情報を取得するように構成される。
【０１６９】
図１４は、本発明に係る端末機器測位システムの第４の実施形態の概略構造図である。図１３に示されるように、端末機器測位システムの上述の実施形態のいずれか１つに基づくと、本システムは更に、少なくとも１つの測位装置３６を備える。測位装置３６は、更に、少なくとも１つの第２の信号に遅延処理又は周波数変換処理を実行するように構成される。
【０１７０】
本実施形態では、図１３に示されるように、更に別の適用シナリオが提供される。測位される建物に比較的多くのフロアがあるとき、端末装置に対する測位をより良好に実行するために、各アンテナ端が遅延処理又は周波数変換処理を行った後に、各フロアに共通の測位装置３６が更に設置されてよい。測位装置３６は、図１４に示される位置に設置されてよい。遅延は、各フロアの第２の信号に対して一様に行われる（余分な信号損失を補償する必要がある）。一般に、第１の信号の遅延時間は、アンテナ端に組み込まれた遅延器において１０００ｎｓ未満の３桁の数に設定される。測位装置３６では、例えば１０００ｎｓ、２０００ｎｓ、３０００ｎｓのような、より長い遅延時間が設定されてよい。更に、１０００桁の遅延に対応するフロアが基地局に記憶される。よって、遅延処理を２回実行された第２の信号を基地局が受信した後、基地局は、１０００桁の得られた遅延オフセット値に従って、端末装置が位置するフロアを決定し、１００桁の遅延オフセット値に従ってアンテナ端の位置を取得して、端末機器に対して更に測位を実行することができる。
【０１７１】
計算プロセスでは、より正確な位置情報を得るために、ケーブル接続によって生じる遅延及びエネルギー損失の差が補償される。このプロセスでは、より正確なユーザ位置を得るために、マルチアンテナ方式を導入して、前述の方法と組み合わせて空間検出を実行してもよい。
【０１７２】
また、測位装置３６は、周波数変換処理を再度実行してもよく、周波数変換処理の具体的な実施原理は、遅延処理と同様である。測位装置は、全ての第２の信号を再び処理するために、任意のフロア上の全ての第２の信号のバスに設置されてよい。これにより、測位精度が改善される。
【０１７３】
端末機器測位システムの上述の全ての実施形態において、カプラ及び電力スプリッタは、設置されなければならない装置ではなく、実際の必要性に応じて選択されてよい。これは本発明では限定されない。
【０１７４】
本実施形態で提供される端末機器測位システムによれば、アンテナ端に備えられる遅延器又は周波数変換器は、第１の信号を処理して第２の信号を生成し、第２の信号を基地局に送信する。基地局は、少なくとも１つのアンテナ端によって送信された少なくとも１つの第２の信号を受信する。基地局は、処理された少なくとも１つの第２の信号に従って、且つ信号の変化に従って、計算により、具体的な端末機器の位置情報を取得する。端末機器の具体的な位置情報は、遅延処理又は周波数変換処理の後に得られる複数の第２の信号を用いて取得される。これは、不安定なチャネル情報と比較して、外部環境の影響を受けない。よって、端末機器の測位精度と信頼性が効果的に改善される。更に、全体の測位プロセスは、端末機器のアクションに依存しない。したがって、コストが低減される。
【０１７５】
図１５は、本発明に係る基地局の第２の実施形態の概略構造図である。基地局５０は、受信部５１及びプロセッサ５２を備える。受信部５１は、少なくとも１つの第２の信号を受信するか、又は第１の信号と少なくとも１つの第２の信号とを受信するように構成される。第１の信号は、端末機器によりアンテナ端に送信される。少なくとも１つの第２の信号は、少なくとも１つのアンテナ端の各アンテナ端が第１の信号に遅延処理又は周波数変換処理を実行した後に生成される。プロセッサ５２は、少なくとも１つの第２の信号に従って、又は第１の信号と少なくとも１つの第２の信号とに従って、計算により、端末機器の位置情報を取得するように構成される。
【０１７６】
本実施形態で提供される基地局は、方法実施形態の技術的解決策を実行するように構成される。基地局の実施原理及び技術的効果は同様である。受信部は、少なくとも１つのアンテナ端が端末機器によって送信された第１の信号に遅延処理又は周波数変換処理を実行した後に生成された少なくとも１つの第２の信号を受信する。プロセッサは、処理された少なくとも１つの第２の信号に従って、且つ信号の変化に従って、計算により、端末機器の具体的な位置情報を取得する。端末機器の具体的な位置情報は、遅延処理又は周波数変換処理の後に得られる複数の第２の信号を用いて取得される。これは、不安定なチャネル情報と比較して、外部環境の影響を受けない。したがって、端末機器の測位精度が効果的に改善される。
【０１７７】
上述の実施形態に基づくと、受信部５１が少なくとも１つの第２の信号のみを受信する場合、プロセッサ５２は、具体的には、
少なくとも１つの第２の信号に従って、各第２の信号に対応する第１の遅延オフセット値をそれぞれ取得するように構成され、
少なくとも１つの第１の遅延オフセット値と少なくとも１つの第１の位置情報とに従って、典型チャネル伝送モデルを用いて、計算により、端末機器の位置情報を取得するように構成され、第１の位置情報は、第１の遅延オフセット値の１つに対応するアンテナ端の位置情報であり、又は、
各第１の遅延オフセット値に対応するアンテナ端の第１の位置情報を取得し、各第１の遅延オフセット値に対応するアンテナ端における第２の信号の第１の信号強度を取得し、少なくとも１つの第１の位置情報と少なくとも１つの第１の信号強度とに従って、典型チャネル伝送モデルを用いて、計算により、端末機器の位置情報を取得するように構成される。
【０１７８】
任意に、受信部５１が第１の信号と少なくとも１つの第２の信号とを受信する場合、プロセッサ５２は、具体的には、
少なくとも１つの第２の信号に従って、各第２の信号の第１の信号に対する第２の遅延オフセット値をそれぞれ取得するように構成され、
少なくとも１つの第２の遅延オフセット値と少なくとも１つの第２の位置情報とに従って、典型チャネル伝送モデルを用いて、計算により、端末機器の位置情報を取得するように構成され、第２の位置情報は、第２の遅延オフセット値の１つに対応するアンテナ端の位置情報であり、又は、
各第２の遅延オフセット値に対応するアンテナ端の第２の位置情報を取得し、各第２の遅延オフセット値に対応するアンテナ端における第２の信号の第２の信号強度を取得し、少なくとも１つの第２の位置情報と少なくとも１つの第２の信号強度とに従って、典型チャネル伝送モデルを用いて、計算により、端末機器の位置情報を取得するように構成される。
【０１７９】
任意に、受信部５１が少なくとも１つの第２の信号のみを受信する場合、プロセッサ５２は、具体的には、
少なくとも１つの第２の信号に従って、各第２の信号に対応する第１の周波数オフセット値をそれぞれ取得し、
少なくとも１つの第１の周波数オフセット値と少なくとも１つの第３の位置情報とに従って、典型チャネル伝送モデルを用いて、計算により、端末機器の位置情報を取得し、第３の位置情報は、第１の周波数オフセット値の１つに対応するアンテナ端の位置情報であり、又は、
各第１の周波数オフセット値に対応するアンテナ端の第３の位置情報を取得し、各第１の周波数オフセット値に対応するアンテナ端での第２の信号の第３の信号強度を取得し、少なくとも１つの第３の位置情報と少なくとも１つの第３の信号強度とに従って、典型チャネル伝送モデルを用いて、計算により、端末機器の位置情報を取得するように構成される。
【０１８０】
任意に、受信部５１が第１の信号と少なくとも１つの第２の信号とを受信する場合、プロセッサ５２は、具体的には、
少なくとも１つの第２の信号に従って、各第２の信号の第１の信号に対する第２の周波数オフセット値をそれぞれ取得するように構成され、
少なくとも１つの第２の周波数オフセット値と少なくとも１つの第４の位置情報とに従って、典型チャネル伝送モデルを用いて、計算により、端末機器の位置情報を取得するように構成され、第４の位置情報は、第２の周波数オフセット値の１つに対応するアンテナ端の位置情報であり、又は、
各第２の周波数オフセット値に対応するアンテナ端の第４の位置情報を取得し、各第２の周波数オフセット値に対応するアンテナ端における第２の信号の第４の信号強度を取得し、少なくとも１つの第４の位置情報と少なくとも１つの第４の信号強度に従って、典型チャネル伝送モデルを用いて、計算により、端末機器の位置情報を取得するように構成される。
【０１８１】
本実施形態で提供される基地局は、方法実施形態のいずれかの技術的解決策を実行するように構成される。基地局の実施原理及び技術的効果は同様である。ここでは詳細の説明を省略する。
【０１８２】
図１６は、本発明に係るアンテナ端の第２の実施形態の概略構造図。図１６に示されるように、アンテナ端６０は、受信部６１、プロセッサ６２及び送信部６３を備える。受信部６１は、端末機器によって送信された第１の信号を受信するように構成される。プロセッサ６２は、第１の信号に遅延処理又は周波数変換処理を実行して、第２の信号を生成するように構成される。送信部６３は、第２の信号を基地局に送信するように構成され、それにより基地局は、第２の信号に従って、計算により、端末機器の位置情報を取得できる。
【０１８３】
本実施形態で提供されるアンテナ端は、方法実施形態の技術的解決策を実行するように構成される。アンテナ端の実施原理及び技術的効果は同様である。受信部が、端末機器によって送信された第１の信号を受信する。プロセッサが、第１の信号に遅延処理又は周波数変換処理を実行する。送信部が、生成された第２の信号を基地局に送信する。したがって、基地局は、少なくとも１つのアンテナ端によって送信された少なくとも１つの第２の信号に従って、且つ信号の変化に従って、計算により、端末機器の具体的な位置情報を取得する。端末機器の具体的な位置情報は、遅延処理又は周波数変換処理の後に得られる複数の第２の信号を用いて取得される。これは、不安定なチャネル情報と比較して、外部環境の影響を受けない。したがって、端末機器の測位精度が効果的に改善される。
【０１８４】
上述の実施形態に基づくと、第１の信号に遅延処理又は周波数変換処理を実行して第２の信号を生成する前に、プロセッサ６２は更に、
所定のゲインに従って、第１の信号に電力補償処理を実行して、補償処理後に得られる第１の信号を取得するように構成される。
【０１８５】
任意に、プロセッサ６２は、具体的には、
事前構成された遅延オフセット値に従って、第１の信号に遅延処理を実行して、第２の信号を生成するように構成され、又は、
第１の信号にフィルタリング処理を実行して、クラッタフィルタリング後に得られる第１の信号を取得するように構成され、
事前構成された周波数オフセット値に従って、クラッタフィルタリング後に得られた第１の信号に周波数変換処理を実行して、第２の信号を生成するように構成される。
【０１８６】
本実施形態で提供されるアンテナ端は、方法実施形態のいずれかの技術的解決策を実行するように構成される。アンテナ端の実施原理及び技術的効果は同様である。ここでは詳細の説明を省略する。
【０１８７】
更に、上述の基地局の第2の実施形態とアンテナ端の第2の実施形態では、理解すべきこととして、プロセッサは中央演算処理装置（Central  Processing  Unit、略称CPU）であってよい。或いは、プロセッサは、他の汎用プロセッサ、デジタル信号プロセッサ（Digital  Signal  Processor、略称DSP）、特定用途向け集積回路（Application  Specific  Integrated  Circuit、略称ASIC）、フィールドプログラマブルゲートアレイ（Field-Programmable  Gate  Array、略称FPGA）その他のプログラマブルロジックデバイス、ディスクリートゲート又はトランジスタロジックデバイス、ディスクリートハードウェアアセンブリ等であってよい。汎用プロセッサはマイクロプロセッサであってよく、或いは、プロセッサは任意の従来のプロセッサ等であってもよい。本発明の実施形態を参照して開示された方法のステップは、ハードウェアプロセッサによって直接実行されてよく、或いは、プロセッサ内のハードウェアとソフトウェアモジュールとの組合わせを用いて実行されてよい。ソフトウェアモジュールは、ランダムアクセスメモリ、フラッシュメモリ、リードオンリメモリ、プログラマブルリードオンリーメモリ、電気的消去可能プログラマブルメモリ、レジスタ等、当該技術分野における成熟した記憶媒体に配置されてよい。記憶媒体はメモリに配置される。プロセッサはメモリ内の情報を読み取り、プロセッサのハードウェアと組み合わせて上述の方法のステップを完了する。
【０１８８】
当業者であれば、方法実施形態のステップの全部又は一部が、関連ハードウェアを指示するプログラムによって実施され得ることを理解することができるであろう。プログラムは、コンピュータ可読記憶媒体に記憶されてよい。プログラムが実行されると、方法実施形態のステップが実行される。上述の記憶媒体には、ROM、RAM、磁気ディスク、光ディスク等の、プログラムコードを記憶可能な任意の媒体が含まれる。
【０１８９】
最後に、留意すべきこととして、上述の実施形態は、本発明の技術的解決策を説明するためのものに過ぎず、本発明を限定するものではない。本発明は上述の実施形態を参照して詳細に説明されたが、当業者であれば理解できるように、当業者であれば、本発明の実施形態の技術的解決策の範囲から逸脱することなく、上述の実施形態に記載された技術的解決策に対して更なる変更を行なったり、その一部又は全部の技術的特徴に対して均等置換を行なったりすることができる。
【図１】
0006545259.tif 000002
【図２】
0006545259.tif 000003
【図３】
0006545259.tif 000004
【図４】
0006545259.tif 000005
【図５】
0006545259.tif 000006
【図６】
0006545259.tif 000007
【図７】
0006545259.tif 000008
【図８】
0006545259.tif 000009
【図９】
0006545259.tif 000010
【図１０】
0006545259.tif 000011
【図１１ａ】
0006545259.tif 000012
【図１１ｂ】
0006545259.tif 000013
【図１２ａ】
0006545259.tif 000014
【図１２ｂ】
0006545259.tif 000015
【図１２ｃ】
0006545259.tif 000016
【図１２ｄ】
0006545259.tif 000017
【図１３】
0006545259.tif 000018
【図１４】
0006545259.tif 000019
【図１５】
0006545259.tif 000020
【図１６】
0006545259.tif 000021